(57)【特許請求の範囲】
【請求項１】
リソース割り当て方法であって、
独立キャリアのバンド幅又は独立キャリア及びキャリアセグメントのバンド幅に基づいて、独立キャリア及びキャリアセグメントに対応するリソースブロックグループのサイズ又はリソースブロックセットの数を確定し；
前記リソースブロックグループのサイズ又はリソースブロックセットの数に基づいて、端末装置にリソースを割り当て；
リソース割り当て結果を含む指示情報を所定の指示情報フォーマットに従ってエンコーディングし；及び、
エンコーディング後の指示情報を前記端末装置に通知することを含み、
独立キャリアのバンド幅又は独立キャリア及びキャリアセグメントのバンド幅に基づいて、独立キャリア及びキャリアセグメントに対応するリソースブロックグループのサイズ又はリソースブロックセットの数を確定する時に、前記所定の指示情報フォーマットは、全体で独立キャリア及びキャリアセグメントのリソース割り当て結果を指示する第２指示情報フォーマットを採用する、方法。
【請求項２】
請求項１に記載の方法であって、
前記第２指示情報フォーマットが採用される時に、リソース割り当てタイプは、リソース割り当てタイプ0であり、前記指示情報は、前記リソース割り当てタイプ、及び、全体としての独立キャリア及びキャリアセグメントの各リソースブロックグループが前記端末装置に割り当てられているかどうかを示す情報を含む、方法。
【請求項３】
請求項２に記載の方法であって、
全体としての独立キャリア及びキャリアセグメントの各リソースブロックグループが前記端末装置に割り当てられているかどうかを示す情報は、リソース割り当てのビットマッピングの方式を採用して表し、
前記キャリアセグメントの数はｎ個であり、ビット数は、
（外１）
0005862778.tif 000121
であり、そのうち、
（外２）
0005862778.tif 000122
は、独立キャリアのバンド幅であり、
（外３）
0005862778.tif 000123
は、第i個目のキャリアセグメントのバンド幅であり、Ｐ１は、独立キャリアに基づいて確定したリソースブロックグループのサイズ又はリソースブロックセットの数であり、そのうち、ｉは、1からｎまでの整数であり、ｎは、正整数である、方法。
【請求項４】
請求項１に記載の方法であって、
前記第２指示情報フォーマットが採用される時に、リソース割り当てタイプは、リソース割り当てタイプ1であり、前記指示情報は、前記リソース割り当てタイプ、選択したリソースブロックセット標識、リソース割り当て用のビットがリソースブロックセットの左からであるか、それとも、右からであるかを示す指示標識、全体としての前記独立キャリア及びキャリアセグメントのリソースブロックセットにおいて対応するリソースブロックが前記端末装置に割り当てられているかどうかを示す情報を含む、方法。
【請求項５】
請求項４に記載の方法であって、
全体としての独立キャリア及びキャリアセグメントの各リソースブロックグループが前記端末装置に割り当てられているかどうかを示す情報は、リソース割り当てのビットマッピングの方式を採用して表し、
前記キャリアセグメントの数はｎ個であり、ビット数は、
（外４）
0005862778.tif 000124
であり、そのうち、
（外５）
0005862778.tif 000125
は、独立キャリアのバンド幅であり、
（外６）
0005862778.tif 000126
は、第i個目のキャリアセグメントのバンド幅であり、P1は、独立キャリアに基づいて確定したリソースブロックグループのサイズ又はリソースブロックセットの数であり、そのうち、iは1からｎまでの整数であり、ｎは正整数である、方法。
【請求項６】
リソース割り当て方法であって、
端末装置は、独立キャリアのバンド幅又は独立キャリア及びキャリアセグメントのバンド幅に基づいて、独立キャリア及びキャリアセグメントに対応するリソースブロックグループのサイズ又はリソースブロックセットの数を確定し；
前記端末装置は、下り制御チャネルに対して検出を行う時に、独立キャリア及びキャリアセグメントに対応するリソースブロックグループのサイズ又はリソースブロックセットの数、独立キャリア及びキャリアセグメントのバンド幅、及び、リソース割り当て結果を指示する所定の指示情報フォーマットに基づいて、下り制御情報中のリソース割り当てフィールドのビット数を確定し；
前記端末装置は、下り制御チャネルに対してブラインド検出を行い、前記端末装置に割り当てられている、リソース割り当て結果を指示する指示情報を含む下り制御情報を取得し；及び、
前記端末装置は、前記端末装置に割り当てられている下り制御情報を取得した後に、前記下り制御情報中のリソース割り当てフィールドの第１個目のビットに基づいて、リソース割り当てタイプを確定し、確定した前記リソース割り当てタイプに対応する前記所定の指示情報フォーマットに基づいて、対応するデコーディングを行い、リソース割り当て結果を得ることを含み、
独立キャリアのバンド幅又は独立キャリア及びキャリアセグメントのバンド幅に基づいて、独立キャリア及びキャリアセグメントに対応するリソースブロックグループのサイズ又はリソースブロックセットの数を確定する時に、前記所定の指示情報フォーマットは、全体で独立キャリア及びキャリアセグメントのリソース割り当て結果を指示する第２指示情報フォーマットを採用する、方法。
【請求項７】
請求項６に記載の方法であって、
前記キャリアセグメントの数はｎ個であり、前記所定の指示情報フォーマットは、独立キャリア及びキャリアセグメントのリソース割り当て結果をそれぞれ指示する第一指示情報フォーマットを採用する時に、前記リソース割り当てフィールドのビット数は、公式
（外７）
0005862778.tif 000127
又は、
（外８）
0005862778.tif 000128
により計算し、
そのうち、
（外９）
0005862778.tif 000129
は、独立キャリアのバンド幅であり、
（外１０）
0005862778.tif 000130
は、第i個目のキャリアセグメントのバンド幅であり、Ｐ１は、独立キャリアのリソースブロックグループのサイズ又はリソースブロックセットの数であり、Ｐｉは、第i個目のキャリアセグメントのリソースブロックグループのサイズ又はリソースブロックセットの数であり、そのうち、iは1からｎまでの整数であり、ｎは正整数である、方法。
【請求項８】
請求項６に記載の方法であって、
前記キャリアセグメントの数はｎ個であり、前記所定の指示情報フォーマットは、全体で独立キャリア及びキャリアセグメントのリソース割り当て結果を示す前記第２指示情報フォーマットを採用する時に、前記リソース割り当てフィールドのビット数は、公式
（外１１）
0005862778.tif 000131
により計算し、
そのうち、
（外１２）
0005862778.tif 000132
は、独立キャリアのバンド幅であり、
（外１３）
0005862778.tif 000133
は、第i個目のキャリアセグメントのバンド幅であり、
（外１４）
0005862778.tif 000134
は、独立キャリアに基づいて確定したリソースブロックグループのサイズ又はリソースブロックセットの数であり、そのうち、iは、1からｎまでの整数であり、ｎは、正整数である、方法。
【請求項９】
請求項６に記載の方法であって、
前記キャリアセグメントの数はｎ個であり、前記所定の指示情報フォーマットは、独立キャリア及びキャリアセグメントのリソース割り当て結果をそれぞれ指示する第１指示情報フォーマットを採用する時に、リソース割り当てタイプは、リソース割り当てタイプ1である時に、前記独立キャリア及びキャリアセグメントリソース割り当て結果は、リソース割り当てのビットマッピングの方式を採用して表し、
リソース割り当てタイプ0の指示情報は、1個のリソース割り当てタイプ、独立キャリアの各リソースブロックグループが前記端末装置に割り当てられているかどうかを示す情報、及び、キャリアセグメントの各リソースブロックグループが前記端末装置に割り当てられているかどうかを示す情報を含み、且つ、リソース割り当てタイプ1の指示情報は、リソース割り当てタイプ、独立キャリアのリソースブロックセット標識、キャリアセグメントのリソースブロックセット標識、1個のリソース割り当て用のビットがリソースブロックセットの左からであるかそれとも右からであるかを示す指示標識、該独立キャリアのリソースブロックセットにおいて対応するリソースブロックが該端末装置割り当てられているかどうかを示す情報、及び、キャリアセグメントのリソースブロックセットにおいて対応するリソースブロックが該端末装置割り当てられているかどうかを示す情報を含み時に、独立キャリア及びキャリアセグメントのリソース割り当てのビットマッピングのビット数は、公式
（外１５）
0005862778.tif 000135
又は
（外１６）
0005862778.tif 000136
により計算し、
そのうち、キャリアｋのリソース割り当てのビットマッピングのビット数は、
（外１７）
0005862778.tif 000137
である時に、他のキャリアのリソース割り当てのビットマッピングのビット数は、
（外１８）
0005862778.tif 000138
であり、
そのうち、前記キャリアは、前記独立キャリア及びｎ個のキャリアセグメントのうちの一つであり、
（外１９）
0005862778.tif 000139
は、キャリアkのバンド幅であり、Pkは、キャリアのリソースブロックグループのサイズ又はリソースブロックセットの数であり、
（外２０）
0005862778.tif 000140
は、前記他のキャリアのバンド幅であり、Pは、前記他のキャリアのリソースブロックグループのサイズ又はリソースブロックセットの数であり、ｎは、正整数である、方法。
【請求項１０】
請求項６に記載の方法であって、
前記キャリアセグメントの数はｎ個であり、前記所定の指示情報フォーマットは、独立キャリア及びキャリアセグメントのリソース割り当て結果をそれぞれ指示する第１指示情報フォーマットを採用する時に、リソース割り当てタイプはリソース割り当てタイプ1である時に、独立キャリア及びキャリアセグメントのリソース割り当て結果は、リソース割り当てのビットマッピングの方式を採用して表し、
リソース割り当てタイプ0の指示情報は、第１リソース割り当てタイプ及び対応する独立キャリアの各リソースブロックグループが前記端末装置割り当てられているかどうかを示す情報；及び、ｎ個の第２リソース割り当てタイプ及び対応するｎ個のキャリアセグメントの各リソースブロックグループが前記端末装置に割り当てられているかどうかを示す情報を含み、且つ、リソース割り当てタイプ1の指示情報は、リソース割り当てタイプ、独立キャリアのリソースブロックセット標識、キャリアセグメントのリソースブロックセット標識、1個のリソース割り当て用のビットがリソースブロックセットの左からであるかそれとも右からであるかを示す指示標識、該独立キャリアのリソースブロックセットにおいて対応するリソースブロックが該端末装置割り当てられているかどうかを示す情報、及び、キャリアセグメントのリソースブロックセットにおいて対応するリソースブロックが前記端末装置割り当てられているかどうかを示す情報を含む時に、独立キャリア及びキャリアセグメントのリソース割り当てのビットマッピングのビット数は、共に、公式
（外２１）
0005862778.tif 000141
により計算し、
そのうち、
（外２２）
0005862778.tif 000142
は、対応するキャリアのバンド幅である、Pは、対応するキャリアのリソースブロックグループのサイズ又はリソースブロックセットの数である、方法。
【請求項１１】
請求項６に記載の方法であって、
前記キャリアセグメントの数はｎ個であり、前記所定の指示情報フォーマットは、独立キャリア及びキャリアセグメントのリソース割り当て結果をそれぞれ指示する第１指示情報フォーマットを採用する時に、リソース割り当てタイプは、リソース割り当てタイプ1である時に、前記独立キャリア及びキャリアセグメントのリソース割り当て結果は、リソース割り当てのビットマッピングの方式を採用して表し、
リソース割り当てタイプ0の指示情報は、1個のリソース割り当てタイプ、独立キャリアの各リソースブロックグループが前記端末装置割り当てられているかどうかを示す情報、及び、キャリアセグメントの各リソースブロックグループが前記端末装置割り当てられているかどうかを示す情報を含み、且つ、リソース割り当てタイプ1の指示情報は、リソース割り当てタイプ、独立キャリアのリソースブロックセット標識、キャリアセグメントのリソースブロックセット標識、ｎ+1個のリソース割り当て用のビットがリソースブロックセットの左からであるかそれとも右からであるかを示す指示標識、該独立キャリアのリソースブロックセットにおいて対応するリソースブロックが前記端末装置割り当てられているかどうかを示す情報、及び、キャリアセグメントのリソースブロックセットにおいて対応するリソースブロックが前記端末装置に割り当てられているかどうかを示す情報を含む時に、独立キャリア及びキャリアセグメントのリソース割り当てのビットマッピングのビット数は、公式
（外２３）
0005862778.tif 000143
により計算し、
そのうち、
（外２４）
0005862778.tif 000144
は、対応するキャリアのバンド幅であり、Pは、対応するキャリアのリソースブロックグループのサイズ又はリソースブロックセットの数である、方法。
【請求項１２】
請求項６に記載の方法であって、
前記キャリアセグメントの数はｎ個であり、前記所定の指示情報フォーマットは、独立キャリア及びキャリアセグメントのリソース割り当て結果をそれぞれ指示する第１指示情報フォーマットを採用する時に、リソース割り当てタイプは、リソース割り当てタイプ1である時に、前記独立キャリア及びキャリアセグメントのリソース割り当て結果は、リソース割り当てのビットマッピングの方式を採用して表し、
リソース割り当てタイプ0の指示情報は、第１リソース割り当てタイプ及び対応する独立キャリアの各リソースブロックグループが前記端末装置割り当てられているかどうかを示す情報；及び、ｎ個の第２リソース割り当てタイプ及び対応するｎ個のキャリアセグメントの各リソースブロックグループが前記端末装置割り当てられているかどうかを示す情報を含み、且つ、リソース割り当てタイプ1の指示情報は、リソース割り当てタイプ、独立キャリアのリソースブロックセット標識、キャリアセグメントのリソースブロックセット標識、n+1個のリソース割り当て用のビットがリソースブロックセットの左からであるかそれとも右からであるかを示す指示標識、該独立キャリアのリソースブロックセットにおいて対応するリソースブロックが前記端末装置割り当てられているかどうかを示す情報、及び、キャリアセグメントのリソースブロックセットにおいて対応するリソースブロックが前記端末装置に割り当てられているかどうかを示す情報を含む時に、独立キャリア及びキャリアセグメントのリソース割り当てのビットマッピングのビット数は、公式
（外２５）
0005862778.tif 000145
及び
（外２６）
0005862778.tif 000146
により計算し、
そのうち、キャリアのリソース割り当てのビットマッピングのビット数は、
（外２７）
0005862778.tif 000147
である時に、他のキャリアのリソース割り当てのビットマッピングのビット数は、
（外２８）
0005862778.tif 000148
であり、
前記キャリアkは、前記独立キャリア及びn個のキャリアセグメントのうちの一つであり、
（外２９）
0005862778.tif 000149
は、キャリアkのバンド幅であり、Pkは、キャリアのリソースブロックグループのサイズ又はリソースブロックセットの数であり、
（外３０）
0005862778.tif 000150
は、前記他のキャリアのバンド幅であり、Ｐは、前記他のキャリアのリソースブロックグループのサイズ又はリソースブロックセットの数であり、ｎは正整数である、方法。
【請求項１３】
請求項６に記載の方法であって、
前記キャリアセグメントの数はｎ個であり、前記所定の指示情報フォーマットは、全体で独立キャリア及びキャリアセグメントのリソース割り当て結果を指示する前記第２指示情報フォーマットを採用する時に、リソース割り当てタイプは、リソース割り当てタイプ0である時に、前記独立キャリア及びキャリアセグメントのリソース割り当て結果は、リソース割り当てのビットマッピングの方式を採用して表し、ビット数は、
（外３１）
0005862778.tif 000151
であり、
リソース割り当てタイプは、リソース割り当てタイプ1である時に、前記独立キャリア及びキャリアセグメントのリソース割り当て結果は、リソース割り当てのビットマッピングの方式を採用して表し、ビット数は、
（外３２）
0005862778.tif 000152
であり、
そのうち、
（外３３）
0005862778.tif 000153
は、独立キャリアのバンド幅であり、
（外３４）
0005862778.tif 000154
は、第i個目のキャリアセグメントのバンド幅であり、Ｐ１は、独立キャリアのリソースブロックグループのサイズ又はリソースブロックセットの数であり、そのうち、iは、1からｎまでの整数であり、ｎは正整数である、方法。
【請求項１４】
基地局であって、
独立キャリアのバンド幅又は独立キャリア及びキャリアセグメントのバンド幅に基づいて、独立キャリア及びキャリアセグメントに対応するリソースブロックグループのサイズ又はリソースブロックセットの数を確定するための第１確定ユニット；
前記リソースブロックグループのサイズ又はリソースブロックセットの数に基づいて、端末装置にリソースを割り当てるためのリソース割り当て器；
リソース割り当て結果を含む指示情報を所定の指示情報フォーマットに従ってエンコーディングするためのエンコーディング器；及び
エンコーディング後の前記指示情報を前記端末装置に通知するための送信器を含み、
独立キャリアのバンド幅又は独立キャリア及びキャリアセグメントのバンド幅に基づいて、独立キャリア及びキャリアセグメントに対応するリソースブロックグループのサイズ又はリソースブロックセットの数を確定する時に、前記所定の指示情報フォーマットは、全体で独立キャリア及びキャリアセグメントのリソース割り当て結果を指示する第２指示情報フォーマットを採用する、基地局。
【請求項１５】
基地局であって、
独立キャリアのバンド幅又は独立キャリア及びキャリアセグメントのバンド幅に基づいて、独立キャリア及びキャリアセグメントに対応するリソースブロックグループのサイズ又はリソースブロックセットの数を確定するための第１確定ユニット；
前記リソースブロックグループのサイズ又はリソースブロックセットの数に基づいて、端末装置にリソースを割り当てるためのリソース割り当て器；
リソース割り当て結果を含む指示情報を所定の指示情報フォーマットに従ってエンコーディングするためのエンコーディング器；及び
エンコーディング後の前記指示情報を前記端末装置に通知するための送信器を含み、
独立キャリアのバンド幅又は独立キャリア及びキャリアセグメントのバンド幅に基づいて、独立キャリア及びキャリアセグメントに対応するリソースブロックグループのサイズ又はリソースブロックセットの数を確定する時に、前記所定の指示情報フォーマットは、全体で独立キャリア及びキャリアセグメントのリソース割り当て結果を指示する第２指示情報フォーマットを採用し、
前記第２指示情報フォーマットが採用される時に、公式
（外３５）
0005862778.tif 000155
により、リソース割り当てフィールドのビット数を確定し、
そのうち、
（外３６）
0005862778.tif 000156
は、独立キャリアのバンド幅であり、
（外３７）
0005862778.tif 000157
は、第i個目のキャリアセグメントのバンド幅であり、Ｐ１は、独立キャリアに基づいて確定したリソースブロックグループのサイズ又はリソースブロックセットの数であり、そのうち、iは1からｎまでの整数であり、ｎは正整数である、基地局。
【請求項１６】
端末装置であって、
独立キャリアのバンド幅又は独立キャリア及びキャリアセグメントのバンド幅に基づいて、独立キャリア及びキャリアセグメントに対応するリソースブロックグループのサイズ又はリソースブロックセットの数を確定するための第２確定ユニット；
確定された独立キャリア及びキャリアセグメントに対応するリソースブロックグループのサイズ又はリソースブロックセットの数、独立キャリア及びキャリアセグメントのバンド幅、及びリソース割り当て結果を指示する所定の指示情報フォーマットに基づいて、下り制御情報中のリソース割り当てフィールドのビット数を確定するためのビット数確定ユニット；
下り制御チャネルに対してブラインド検出を行い、基地局が前記端末装置に割り当てた下り制御情報を取得するための検出器；及び、
前記検出器がブラインド検出を行い前記端末装置に割り当てられた下り制御情報を取得した後に、リソース割り当てフィールドの第１個目のビットに基づいてリソース割り当てタイプを確定し、確定した前記リソース割り当てタイプに対応する前記所定の指示情報フォーマットに基づいて、対応するデコーディングを行い、リソース割り当て結果を取得するためのリソース情報取得ユニットを含み、
独立キャリアのバンド幅又は独立キャリア及びキャリアセグメントのバンド幅に基づいて、独立キャリア及びキャリアセグメントに対応するリソースブロックグループのサイズ又はリソースブロックセットの数を確定する時に、前記所定の指示情報フォーマットは、全体で独立キャリア及びキャリアセグメントのリソース割り当て結果を指示する第２指示情報フォーマットを採用する、端末装置。
【請求項１７】
端末装置であって、
独立キャリアのバンド幅又は独立キャリア及びキャリアセグメントのバンド幅に基づいて、独立キャリア及びキャリアセグメントに対応するリソースブロックグループのサイズ又はリソースブロックセットの数を確定するための第２確定ユニット；
確定された独立キャリア及びキャリアセグメントに対応するリソースブロックグループのサイズ又はリソースブロックセットの数、独立キャリア及びキャリアセグメントのバンド幅、及びリソース割り当て結果を指示する所定の指示情報フォーマットに基づいて、下り制御情報中のリソース割り当てフィールドのビット数を確定するためのビット数確定ユニット；
下り制御チャネルに対してブラインド検出を行い、基地局が前記端末装置に割り当てた下り制御情報を取得するための検出器；及び、
前記検出器がブラインド検出を行い前記端末装置に割り当てられた下り制御情報を取得した後に、リソース割り当てフィールドの第１個目のビットに基づいてリソース割り当てタイプを確定し、確定した前記リソース割り当てタイプに対応する前記所定の指示情報フォーマットに基づいて、対応するデコーディングを行い、リソース割り当て結果を取得するためのリソース情報取得ユニットを含み、
独立キャリアのバンド幅又は独立キャリア及びキャリアセグメントのバンド幅に基づいて、独立キャリア及びキャリアセグメントに対応するリソースブロックグループのサイズ又はリソースブロックセットの数を確定する時に、前記所定の指示情報フォーマットは、全体で独立キャリア及びキャリアセグメントのリソース割り当て結果を指示する第２指示情報フォーマットを採用し、
前記第２指示情報フォーマットが採用される時に、公式
（外３８）
0005862778.tif 000158
により、リソース割り当てフィールドのビット数を確定し、
そのうち、
（外３９）
0005862778.tif 000159
は、独立キャリアのバンド幅であり、
（外４０
0005862778.tif 000160
は、第i個目のキャリアセグメントのバンド幅であり、Ｐ１は、独立キャリアに基づいて確定したリソースブロックグループのサイズ又はリソースブロックセットの数であり、そのうち、iは1からｎまでの整数であり、ｎは正整数である、端末装置。
【請求項１８】
コンピュータ可読プログラムであって、
基地局において前記プログラムを実行する時に、前記プログラムは、コンピュータに、前記基地局において、請求項１〜５の任意の一項に記載のリソース割り当て方法を実行させるためのプログラム。
【請求項１９】
コンピュータ可読プログラムを記憶した記憶媒体であって、
前記コンピュータ可読プログラムは、コンピュータに、基地局において、請求項１〜５の任意の一項に記載のリソース割り当て方法を実行させる、記憶媒体。
【請求項２０】
コンピュータ可読プログラムであって、
端末において前記プログラムを実行する時に、前記プログラムは、コンピュータに、前記端末において、請求項６〜１３の任意の一項に記載のリソース割り当て方法を実行させるためのプログラム。
【請求項２１】
コンピュータ可読プログラムを記憶した記憶媒体であって、
前記コンピュータ可読プログラムは、コンピュータに、端末において請求項６〜１３の任意の一項に記載のリソース割り当て方法を実行させる、記憶媒体。
【発明の詳細な説明】
【技術分野】
【０００１】
本発明は、通信分野に関し、特に、リソース割り当て方法、基地局及び端末装置に関する。
【背景技術】
【０００２】
高データレートの要求を満足するために、LTE-A（Long  Term  Evolution  Advanced、LTE-A)システムでは、キャリアアグリゲーション技術が提案され、高データレートを提供し得るバンド幅値をサポートする。キャリアアグリゲーション技術では、各アグリゲーションのキャリアが、一つのコンポーネントキャリア(Component  Carrier、CC)と称される。
【０００３】
LTE-AシステムのRel-10では、キャリアのタイプは、上位互換性キャリア(Backward  Compatibal  Carrier)及び非上位互換性キャリア(Non-backward  Compatible  Carrier)を含む。該上位互換性キャリアは、Rel-10の端末によりアクセスすることができ、且つ、Rel-8及びRd-9の端末によりアクセスすることもできる。該非上位互換性キャリアは、構成することのみによりRel-10の端末によりアクセスすることができるが、Rel-8及びRel-9の端末によりアクセスすることができない。そのうち、非上位互換性キャリアは、エクステンションキャリア（Extension  Carrier)及びキャリアセグメント（Carrier  Segment）を含む。この２種類のキャリアは、独立して作動することができず、上位互換性キャリアと共に協同して作動する必要がある。以下では、上位互換性キャリアが、独立キャリアと称される。
【０００４】
LTEシステムでは、３種類の下りリソース割り当て方法、即ち、リソース割り当てタイプ0、リソース割り当てタイプ1、及びリソース割り当てタイプ2(3GPP  TS36.213  v9.3.0を参照)が定義されている。
【０００５】
リソース割り当てタイプ0では、連続した幾つかのリソースブロック（Resource  Block、RB)から一つのリソースブロックグループ（Resource  Block  Group、RBG)を成す。基地局は、端末にリソースを割り当てる時に、リソースブロックグループを最小割り当て単位とし、即ち、某リソースブロックグループを端末に割り当てるかどうかを決定する。そのうち、リソースブロックグループのサイズ（RBG  Size)は、システムバンド幅に基いて確定することができる。リソース割り当て結果を得た後に、基地局は、下りリソース割り当て指示（DCI)中のリソース割り当て（Resource  Assignment、RA)フィールドにて、結果を端末に通知することができる。
【０００６】
しかし、発明者は、本発明の実現過程において、一つの基地局の下で同時にRel-8/9/lOの端末及びRel-11の端末があることを発見した。基地局には同時に独立キャリア及びキャリアセグメントが構成されている場合、独立キャリアは、全てのタイプの端末によりアクセスすることができるが、キャリアセグメントは、Rd-11の端末のみに構成され、且つ、Rd-11の端末が一つの独立キャリアにアクセスした後である。このように、Rd-8/9/10の端末及びRd-11の端末のシステムバンド幅が異なる場合がある。例えば、基地局は、トータルで32個のリソースブロック（Resource  Block、RB)のバンド幅のスペクトラムを有し、そのうち、独立キャリアのバンド幅は、25個のRBであり、6個のRBは、キャリアセグメントとすることができる。全ての端末は、システムバンド幅が25個のRBである独立キャリアにアクセスすることができる。Rd-11の端末は、独立キャリアにアクセスした後に、基地局は、端末のバージョンがRd-11であることを把握した後に、該端末に6個のRBのキャリアセグメントを構成することができる。このように、Rel-11端末のシステムバンド幅は31個のRBであり、Rel-8/9/lOの端末のシステムバンド幅は25個のRBである。リソース割り当てタイプ0を用いてリソース割り当てを行う時に、Rel-8/9/lOの端末及びRel-11の端末が対応するRBGのサイズは異なる。各自のRBGに従ってリソース割り当てを行えば、基地局のスケジューリングアルゴリズムを限定しない前提で、RBの利用率を下げ、リソース浪費の問題を来すことがある。今のところ、上述の問題を解決し得る有効な方法はまだない。
【０００７】
なお、上述の技術背景に対しての紹介は、本発明の技術案を明確且つ完全に説明し、当業者がそれを容易に理解し得るためだけのものである。これらの案は本発明の背景技術の部分に記載されているため、上述の技術案は当業者にとって周知であると思われてはいけない。
【発明の概要】
【発明が解決しようとする課題】
【０００８】
本発明の実施例の目的は、リソース割り当て方法、基地局及び端末装置を提供することにあり、該方法により、システムに、配置され得るキャリアセグメントがあり、且つ、Rel-8/9/lOの端末及びRd-11の端末が共存する場合における、リソース割り当てタイプ0に存在するRB浪費の問題を解決するできるだけではなく、上述の場合における下リソース割り当てタイプ1のリソース割り当ての解決方法を提供することもできる。
【課題を解決するための手段】
【０００９】
本発明の実施例の一側面によれば、リソース割り当て方法が提供され、該方法は、
独立キャリアのバンド幅又は独立キャリア及びキャリアセグメントのバンド幅、及び、バンド幅と、リソースブロックグループのサイズとの対応関係に基いて、独立キャリア及びキャリアセグメントに対応するリソースブロックグループのサイズ又はリソースブロックセット（set）の数を確定し；及び、
前記リソースブロックグループのサイズ又はリソースブロックセットの数に基いて端末装置にリソースを割り当てることを含む。
【００１０】
本発明の実施例の他の側面によれば、リソース割り当て方法が提供され、前記方法は、
端末装置は、下り制御チャネルに対して検出を行う時に、独立キャリア及びキャリアセグメントに対応するリソースブロックグループのサイズ又はリソースブロックセットの数、独立キャリア及びキャリアセグメントのバンド幅、及び、所定のリソース割り当て結果を指示するための指示情報フォーマットに基いて、下り制御情報におけるリソース割り当てフィールドのビット数を確定し；
前記端末装置は、下り制御チャネルに対してブラインド検出を行い、前記端末装置のために割り当てられている下り制御情報を取得し；及び、
端末装置は、前記端末装置のために割り当てられている下り制御情報を取得した後に、前記下り制御情報におけるリソース割り当てフィールドの第１個目のビットに基いて、リソース割り当てタイプを確定し、そして、確定した前記リソース割り当てタイプに対応する指示情報フォーマットに従って、対応するデコーディングを行い、リソース割り当て結果を取得することを含む。
【００１１】
本発明の実施例の他の側面によれば、基地局が提供され、前記基地局は、
独立キャリアのバンド幅又は独立キャリア及びキャリアセグメントのバンド幅、及び、バンド幅とリソースブロックグループのサイズと対応関係に基いて、独立キャリア及びキャリアセグメントに対応するリソースブロックグループのサイズ又はリソースブロックセットの数を確定するための第１確定ユニット；及び、
前記リソースブロックグループのサイズ又はリソースブロックセットの数に基いて、端末装置にリソースを割り当てるためのリソース割り当て器を含む。
【００１２】
本発明の実施例の他の側面によれば、端末装置が提供され、前記端末装置は、
確定された独立キャリア及びキャリアセグメントに対応するリソースブロックグループのサイズ又はリソースブロックセットの数、独立キャリア及びキャリアセグメントのバンド幅、及び、所定のリソース割り当て結果の指示情報フォーマットに基いて、下り制御情報におけるリソース割り当てフィールドのビット数を確定するためのビット数確定ユニット；
下り制御チャネルに対してブラインド検出を行い、基地局により前記端末装置のために割り当てられている下り制御情報を取得するための検出器；及び、
前記検出器がラインド検出を行い前記端末装置のために割り当てられている下り制御情報を取得した後に、リソース割り当てフィールドの第１個目のビットに基いてリソース割り当てタイプを確定し、確定した前記リソース割り当てタイプに対応する指示情報フォーマットに従って対応するデコーディングを行い、リソース割り当て結果を取得するためのリソース情報取得ユニットを含む。
【００１３】
本発明の実施例の他の側面によれば、コンピュータ可読プログラムが提供され、そのうち、基地局において該プログラムを実行する時に、該プログラムは、コンピュータに、該基地局において上述のリソース割り当て方法を実行させる。
【００１４】
本発明の実施例の他の側面によれば、コンピュータ可読プログラムを記憶した記憶媒体が提供され、そのうち、該コンピュータ可読プログラムは、コンピュータに、基地局において上述のリソース割り当て方法を実行させる。
【００１５】
本発明の実施例の他の側面によれば、コンピュータ可読プログラムが提供され、そのうち、端末において該プログラムを実行する時に、該プログラムは、コンピュータに、該端末装置において上述のリソース割り当て方法を実行させる。
【００１６】
本発明の実施例の他の側面によれば、コンピュータ可読プログラムを記憶した記憶媒体が提供され、そのうち、該コンピュータ可読プログラムは、コンピュータに、該端末装置において上述のリソース割り当て方法を実行させる。
【００１７】
本発明の実施例の有益な効果は、独立キャリア及びキャリアセグメントに対応するリソースブロックグループのサイズ又はリソースブロックセットの数を確定し、そして、該リソースブロックグループのサイズ又はリソースブロックセットの数に基いて端末装置にリソースを割り当てることで、システムに、構成され得るキャリアセグメントがあり、且つ、Rel-8/9/lOの端末及びRel-11の端末が共存する場合における、リソース割り当てタイプ0に存在するRB浪費の問題を解決することができるのみならず、上述の場合におけるリソース割り当てタイプ1のリソース割り当ての解決方法をも提供することができる。
【００１８】
後述の説明及び図面により、本発明の特定の実施形態を詳細に開示し、本発明の原理を採用し得る方式を明確にする。なお、本発明の実施形態は、範囲上ではそれに限定されない。添付した特許請求の範囲の精神及び技術的範囲内では、本発明の実施形態は、あらゆる変更、変形及び代替によるものを含む。
【００１９】
実施形態について説明した及び/又は示した特徴は、同じ又は類似した方式で、一つ又は複数の他の実施形態に使用し、他の実施形態における特徴と組み合わせ、又は、他の実施形態における特徴を置換することができる。
【００２０】
なお、"包括/含む"のような用語は、本文に使用する時に、特徴、装置全体、ステップ又はアセンブリの存在を指すが、一つ又は複数の他の特徴、装置全体、ステップ又はアセンブリの存在又は付加を排除しないことをも指す。
【図面の簡単な説明】
【００２１】
以下の図面を参照して、本発明の実施例の上述及び他の目的、特徴及び利点がより明確になる。
【図１】LTEシステムにおけるリソース割り当てタイプ0に対応する指示情報フォーマットを示す図である。
【図２】Ａは、システムバンド幅が25個のRBである場合に基地局が某端末に対してリソース割り当てタイプ0を採用したリソース割り当て結果を示す図である。Ｂは、図2Aにおけるリソース割り当て結果の指示情報を示す図である。
【図３】LTEシステムにおけるリソース割り当てタイプ1に対応する指示情報フォーマットを示す図である。
【図４】Ａは、システムバンド幅が25個のRBである場合に基地局が某端末に対してリソース割り当てタイプ1を採用したリソース割り当て結果を示す図である。Ｂは、図4Aにおけるリソース割り当て結果の指示情報を示す図である。
【図５】Ａは、某Rd-8/9/lOの端末装置に対するリソース割り当て結果を示す図である。Ｂは、某Rd-11の端末装置に対するリソース割り当て結果を示す図である。
【図６】本発明の実施例1におけるリソース割り当て方法のフローチャートである。
【図７】Ａ乃至Ｃは、一つのキャリアセグメントを有する時にリソース割り当てタイプ0に対応する指示情報フォーマットを示す図である。
【図８】Ａ乃至Ｃは、二つのキャリアセグメントを有する時にリソース割り当てタイプ0に対応する指示情報フォーマットを示す図である。
【図９】Ａ乃至Ｅは、一つのキャリアセグメントを有する時にリソース割り当てタイプ1に対応する指示情報フォーマットを示す図である。
【図１０】Ａ乃至Ｅは、二つのキャリアセグメント時にリソース割り当てタイプ1に対応する指示情報フォーマットを示す図である。
【図１１】本発明の実施例2におけるリソース割り当て方法のフローチャートである。
【図１２】一つのキャリアセグメントを有する時にリソース割り当てタイプ0に対応する指示情報フォーマットを示す図である。
【図１３】二つのキャリアセグメントを有する時にリソース割り当てタイプ0に対応する指示情報フォーマットを示す図である。
【図１４】一つのキャリアセグメントを有する時にリソース割り当てタイプ1に対応する指示情報フォーマットを示す図である。
【図１５】二つのキャリアセグメントを有する時にリソース割り当てタイプ1に対応する指示情報フォーマットを示す図である。
【図１６】本発明の実施例3におけるリソース割り当て方法のフローチャートである。
【図１７】本発明の実施例4におけるリソース割り当て方法のフローチャートである。
【図１８】Ａは、本実施例において基地局が端末装置にリソースを割り当てることを示す図である。Ｂは、基地局が図7Aのフォーマットを採用する時の指示情報を示す図である。Ｃは、基地局が図7Bのフォーマットを採用する時の指示情報を示す図である。
【図１９】Ａは、実施例において基地局が端末装置にリソースを割り当てること示す図である。Ｂは、基地局の図19Aのリソース割り当て結果に対する指示情報を示す図である。Ｃは、基地局の図19Aのリソース割り当て結果に対する指示情報を示す図である。
【図２０】Ａは、本実施例において基地局が端末装置にリソースを割り当てることを示す図である。Ｂは、図20Aのリソース割り当て結果に対する指示情報を示す図である。Ｃは、図20Aのリソース割り当て結果に対する指示情報を示す図である。Ｄは、図20Aのリソース割り当て結果に対する指示情報を示す図である。
【図２１】Ａは、本実施例において基地局が端末装置にリソースを割り当てることを示す図である。Ｂは、基地局が図12のフォーマットを採用する時の指示情報を示す図である。
【図２２】Ａは、本実施例において基地局が端末装置にリソース割り当てることを示す図である。Ｂは、基地局が図14のフォーマットを採用する時の指示情報を示す図である。
【図２３】本発明の実施例6における基地局の構成を示す図である。
【図２４】本発明の実施例7における端末装置の構成を示す図である。
【図２５】本発明の実施例7における端末装置の実施例としての移動電話を示す図である。
【発明を実施するための形態】
【００２２】
以下、添付した図面を参照しながら、本発明の各種の実施形態を説明する。これらの実施形態は、例示的なものだけであり、本発明を限定するものではない。当業者が容易に本発明の原理及び実施形態を理解し得るために、本発明の実施形態では、LTE-Aシステムを例とし、システムに、構成され得るキャリアセグメントがあり、且つ、Rel-8/9/lOの端末及びRd-11の端末が共存する場合について説明を行うが、理解すべきは、本発明は、上述のシステムに限定されず、上述の場合におけるリソース割り当てに関する他のシステムにも適用し得るとのことである。
【００２３】
まず、LTEシステムにおけるリソース割り当て方法及び指示情報フォーマットを説明する。
【００２４】
リソース割り当てタイプ0では、連続した幾つかのリソースブロック（Resource  Block、RB)から一つのリソースブロックグループ（Resource  Block  Group、RBG)を成す。基地局は、端末装置にリソースを割り当てる時に、リソースブロックグループRBGを最小割り当て単位とし、即ち、某リソースブロックグループRBGを端末装置に割り当てるかどうかを決定する。リソース割り当て結果を得た後に、基地局は、下りリソース割り当て指示（DCI)中のリソース割り当てフィールド（Resource  Assignment、RA)  にて、リソース割り当て結果を該端末装置に通知する。
【００２５】
図1は、LTEシステム中のリソース割り当てタイプ0に対応する指示情報フォーマットを示す図である。そのうち、"リソース割り当てタイプ（Type)"は、リソース割り当てタイプ0であるか、それとも、リソース割り当てタイプ1であるかを表し、1ビットである。"リソース割り当てのビットマッピングBitmap"は、各RBGが該端末装置に割り当てられているかどうかを対応して指示するために用いられ、そのビット数は、
（外１）
0005862778.tif 000002
であり、そのうち、
（外２）
0005862778.tif 000003
は、システムの下りバンド幅を表し、即ち、システム中の下りリソースブロックRBの総数であり、Pは、リソースブロックグループRBGのサイズを表し、即ち、各リソースブロックグループRBGに含まれるRBの数である。
【００２６】
リソースブロックグループRBGのサイズは、システムのバンド幅によるものであり、システムバンド幅、及び、バンド幅とリソースブロックグループRBGのサイズとのマッピング関係に基いて確定することができる。表1は、システムバンド幅（System  Bandwidth)
（外３）
0005862778.tif 000004
と、リソースブロックグループRBGのサイズとのマッピング関係表である。
【００２７】
【表１】
0005862778.tif 000005
【００２８】
そのうち、
【数１】
0005862778.tif 000006
の時に、そのうちの一つのリソースブロックグループRBGのサイズは、
（外４）
0005862778.tif 000007
である。システムには下りリンクにおいて25個のリソースブロックRBがある場合、表1に基いて、リソース割り当てタイプ0には、リソースブロックグループのサイズが2である。
【００２９】
図2Aは、システムバンド幅が25個のRBである場合に、基地局が某端末についてリソース割り当てタイプ0を採用したリソース割り当て結果を示す図である。図2Bは、図2A中のリソース割り当て結果の指示情報を示す図である。図2Aでは、"1"は、対応するリソースブロックグループを該端末装置に割り当てていることを表し、"0"は、対応するリソースブロックグループを該端末装置に割り当てていないことを表す。
【００３０】
リソース割り当てタイプ1では、まず、リソースブロックRBを幾つかのセットに分ける。リソースブロックセットの数は、リソース割り当てタイプ0中のRBGのサイズPに等しい。リソース割り当ての結果を得た後、基地局は、下りリソース割り当て指示（DCI)中のリソース割り当てフィールド（Resource  Assignment、RA)にて、結果を端末装置を通知することができる。
【００３１】
図3は、LTEシステム中のリソース割り当てタイプ1に対応する指示情報フォーマットを示す図である。そのうち、"リソース割り当てタイプ（Type)"は、リソース割り当てタイプ0であるか、それとも、リソース割り当てタイプ1であるかを表し、1ビットである。"リソースブロックセット標識（Subset)"は、端末装置に割り当てられているのがどのリソースブロックセットであるかを表し、そのビット数は、
（外５）
0005862778.tif 000008
である。"L/R"は、リソース割り当て用のビットが該リソースブロックセットの左から対応するか、それとも、該セットの右から対応するかを指示し、1ビットである。"リソース割り当てのビットマッピングBitmap"は、該リソースブロックセット中の対応するリソースブロックが該端末に割り当てられているかどうかを指示するために用いられ、そのビット数は、
【数２】
0005862778.tif 000009
である。例えば、システムに下りリンクにおいて25個のRBがある場合、表1に基いて、リソース割り当てタイプ1には、リソースブロックセットの数が2である。
【００３２】
図4Aは、システムバンド幅が25個のRBである場合に、基地局が某端末に対してリソース割り当てタイプ1を使用したリソース割り当て結果を示す図である。図4Bは、図4A中のリソース割り当て結果の指示情報を示す図である。図4Aでは、"1"は、リソースブロックセット"0"に対応するリソースブロックが端末装置に割り当てられていることを表し、"0"は、リソースブロックセット"0"に対応するリソースブロックが端末装置に割り当てられていないことを表す。図4Bでは、L/Rが"0"であるときに、左から右へ対応することを表しても良い。"Subset"が"0"であるときに、基地局が該端末装置のために選択したリソースブロックセットがリソースブロックセット"0"であることを表す。
【００３３】
LTE-Aシステムでは、構成され得るキャリアセグメントがある時に、且つ、Rel-8/9/lOの端末及びRd-11の端末が共存する場合に、リソース割り当てタイプ0には、RB浪費の問題が生じることがある。例えば、基地局は、トータルで32個のリソースブロック（Resource  Block、RB)のバンド幅のスペクトラムを有し、そのうち、独立キャリアのバンド幅は、25個のRBであり、6個のRBは、キャリアセグメントとされ得る。Rel-11端末のシステムバンド幅は、31個のRBであり、Rel-8/9/lOの端末のシステムバンド幅は、25個のRBである。リソース割り当てタイプ0を用いてリソース割り当てを行う時に、Rel-8/9/lOの端末及びRel-11の端末に対応するRBGのサイズは異なる。各自のRBGに従ってリソース割り当てを行う場合、基地局のスケジューリングアルゴリズムを限定しない前提で、RBの利用率を下げ、リソース浪費の問題を来すことがある。図5Aは、某Rd-8/9/lOの端末装置に対してのリソース割り当て結果を示す図である。"1"は、その対応するリソースブロックグループが該端末装置に割り当てられていることを表す。図5Bは、某Rel-11の端末装置に対してのリソース割り当て結果を示す図である。同様に、"1"は、その対応するリソースブロックグループが該端末装置に割り当てられていることを表す。そのうち、図5A及び図5Bにおける灰色は、使用できないリソースブロックを表す。
【００３４】
よって、本発明の実施例は、LTE-Aシステムに、構成され得るキャリアセグメントがあり、且つ、Rel-8/9/lOの端末及びRd-11の端末が共存する場合に、リソース割り当てタイプ0に出現するRB浪費の問題を解決することを説明するために用いられる。リソース割り当てタイプ1は、リソース割り当てタイプ0とは同じビット数を用いてリソース割り当て結果を指示するので、本発明が提供するリソース割り当て方法は、同様に、リソース割り当てタイプ1にも適用し得る。
【００３５】
本発明の実施例では、実際のニーズに応じて、該キャリアセグメントの数が1個又は1個以上であってもよく、以下の実施例では、キャリアセグメントの数がn個であり、nは、正整数である。リソース割り当てタイプ0及びリソース割り当てタイプ1の指示情報のビット数は同じである。
【００３６】
以下の実施例では、リソース割り当てタイプ0及びリソース割り当てタイプ1の場合については、ともに、1個のキャリアセグメント及び2個のキャリアセグメントを含む場合について説明する。2個以上のキャリアセグメントの場合は、この２種類の場合に類似するので、ここでは、網羅的な列挙を省略する。また、下述の実施例に列挙の指示情報フォーマットでは、独立キャリアの指示情報及びキャリアセグメントの指示情報の並び順について、ニーズによって任意に設定してもよく、即ち、独立キャリアの指示情報は、キャリアセグメントの前に位置しもよく、逆でも良い。本実施例では、例えば、独立キャリア及びキャリアセグメントの周波数の高低順で並び、例えば、周波数が低い指示情報を前に置いて、周波数が高い指示情報を後に置いてもよく、逆でもよく、これについ限定しない。
【実施例１】
【００３７】
本発明の実施例は、リソース割り当て方法を提供し、図6は、本発明の実施例1におけるリソース割り当て方法のフローチャートである。図6に示すように、該方法は、次のようなステップを含む。
【００３８】
ステップ601：独立キャリア及びキャリアセグメントのバンド幅、及び、バンド幅とリソースブロックグループのサイズとの対応関係に基いて、独立キャリア及びキャリアセグメントに対応するリソースブロックグループのサイズ又はリソースブロックセットの数を確定する。
【００３９】
ステップ602：該リソースブロックグループのサイズ又はリソースブロックセットの数に基いて、端末装置にリソースを割り当てる。
【００４０】
本実施例では、リソース割り当てタイプ0について、独立キャリア及びキャリアセグメントのバンド幅（Band  Width)、及び、バンド幅と、リソースブロックグループRBGのサイズとの対応関係に基いて、それぞれ、該独立キャリア及びキャリアセグメントに対応するリソースブロックグループのサイズ（RBG  Size）を確定しても良い。例えば、表1に示す対応関係に基いて確定してもよく、なお、独立キャリアのリソースブロックグループのサイズは、Ｐ１と表され、キャリアセグメントのリソースブロックグループのサイズは、P2と表される。
【００４１】
例えば、独立キャリアのバンド幅が25個のRBであり、表1から分かるように、独立キャリアのリソースブロックグループRBGのサイズＰ１=2であり、セグメントキャリアのバンド幅が6個のRBを有し、表1によれば、キャリアセグメントのリソースブロックグループRBGのサイズP2=1である。
【００４２】
本実施例では、リソース割り当てタイプ1については、独立キャリア及びキャリアセグメントに対応するリソースブロックセットの数を確定する。
【００４３】
そのうち、リソースブロックセットの数は、リソース割り当てタイプ0中のリソースブロックグループRBGのサイズに等しく、このように、該リソースブロックセットの数を確定する時に、まず、独立キャリア及びキャリアセグメントのバンド幅（Band  Width)、及び、バンド幅とリソースブロックグループRBGのサイズとの対応関係に基いて、それぞれ、該独立キャリア及びキャリアセグメントに対応するリソースブロックグループのサイズを確定し、その後、リソースブロックセットの数がリソース割り当てタイプ0中のリソースブロックグループのサイズに等しいことに基いて、リソースブロックセットの数を確定する。例えば、表1に示す対応関係に基いて確定してもよく、なお、独立キャリアのリソースブロックセットの数は、Ｐ3と表され、キャリアセグメントのリソースブロックセットの数は、Ｐ４と表される。
【００４４】
例えば、独立キャリアのバンド幅が25個のRBであり、表1から分かるように、独立キャリアのリソースブロックセットの数Ｐ3=2であり、セグメントキャリアのバンド幅が6個のRBを有し、表1によれば、キャリアセグメントのリソースブロックセットの数Ｐ４=1である。
【００４５】
よって、それぞれ、独立キャリア及びキャリアセグメントに対応するリソースブロックグループのサイズ又はリソースブロックセットの数を確定した後に、基地局は、確定した独立キャリア及びキャリアセグメントに対応するリソースブロックグループのサイズ又はリソースブロックセットの数に基いて、端末装置にリソースを割り当て、そのうち、リソースの割り当て方法は、従来の任意の１種の方法を採用してもよく、例えば、「max  carrier  to  interference」スケジューリングアルゴリズム、「proportional  fair」スケジューリングアルゴリズムなどを採用してもよいので、ここでは、詳しい説明を省略する。
【００４６】
上述の実施例によれば、一方では、リソース割り当てタイプ0におけるリソースブロックRBの浪費を避けることができ、他方では、リソース割り当てタイプ1のリソース割り当ての解決方法を提供することができる。
【００４７】
本実施例では、基地局が端末装置にリソースを割り当てた後に、更に、リソース割り当て結果を端末装置に通知することができ、これによって、端末装置は、基地局により割り当てられているリソースを取得することができる。よって、図6に示すように、該方法は、更に、次のようなステップを含んでも良い。
【００４８】
ステップ603：リソース割り当て結果を含む指示情報を所定の指示情報フォーマットに従ってエンコーディングする。
【００４９】
そのうち、該所定の指示情報フォーマットは、それぞれ、独立キャリア及びキャリアセグメントのリソース割り当て結果を指示するための第１指示情報フォーマットである。
【００５０】
ステップ604：エンコーディング後の指示情報を端末装置に送信する。
【００５１】
そのうち、基地局は、該指示情報を下り制御情報に含めて端末装置に送信してもよい。以下、第１指示情報フォーマットの場合におけるリソース割り当てタイプ0及びリソース割り当てタイプ1の指示情報について説明する。
【００５２】
第１種：リソース割り当てタイプ0の場合に、該指示情報は、リソース割り当てタイプ（Type)、独立キャリアの各リソースブロックグループが該端末装置に割り当てられているかどうかを示す情報、及び、キャリアセグメントの各リソースブロックグループが該端末装置に割り当てられているかどうかを示す情報を含んでも良い。
【００５３】
本実施例では、独立キャリアの各リソースブロックグループが該端末装置に割り当てられているかそうかを示す情報、及び、キャリアセグメントの各リソースブロックグループが該端末装置に割り当てれれているかどうかを示す情報は、リソース割り当てのビットマッピング（Bitmap)を採用して表すことができる。以下、Bitmapで表す方法を例として説明する。
【００５４】
そのうち、リソース割り当てタイプ（Type)は、1個であってもよく、独立キャリア及びキャリアセグメントのリソース割り当てのタイプを指示するために用いられ、又は、リソース割り当てタイプ（Type)は、n+1個であってもよく、それぞれ、独立キャリア及びn個のキャリアセグメントのリソース割り当てのタイプ（Type)を指示するために用いられ、このような場合に、該リソース割り当てタイプは、同じであってもよく、異なってもよい。
【００５５】
このような場合に、独立キャリア及びキャリアセグメントのリソース割り当てのビットマッピングのビット数の確定は、次のような公式を採用しても良い。
【００５６】
独立キャリアのリソース割り当てのビットマッピングのビット数は、
（外６）
0005862778.tif 000010
であり、前記キャリアセグメントの数がM個である時に、各キャリアセグメントのリソース割り当てのビットマッピングのビット数は、
（外７）
0005862778.tif 000011
と表され、そのうち、
（外８）
0005862778.tif 000012
は、独立キャリアのバンド幅であり、
（外９）
0005862778.tif 000013
は、第i個のキャリアセグメントのバンド幅であり、P1は、独立キャリアのリソースブロックグループのサイズ又はリソースブロックセットの数であり、Piは、第i個の独立キャリアのリソースブロックグループのサイズ又はリソースブロックセットの数であり、そのうち、iは、1からｎまでの整数であり、Mは、正整数である。
【００５７】
本実施例では、独立キャリア及びセグメントキャリアのリソース割り当てのビット数を確定する目的は、ステップ603において基地局がエンコーディングを行う時に、基地局が該リソース割り当てのビット数を事前に知る必要があるとのことにある。該ビット数は、指示情報フォーマットを確定した後に、予め確定してもよく、また、基地局に保存しも良く、このようにして、基地局は、エンコーディング時に直接該ビット数を使用することができる。また、基地局は、更に、該ビット数を端末装置に通知してもよく、又は、端末装置は、指示情報フォーマットに基いて確定して記憶してもよく、これによって、端末装置は、デコーディング時に使用することができる。エンコーディング・デコーディングのプロセスは、従来技術に類似するので、ここでは、詳しい説明を省略する。
【００５８】
以下、例を挙げて上述の場合を説明する。なお、次の指示情報フォーマットは、本発明の実施例だけであり、次のフォーマットに限定しない。
【００５９】
図7A〜図7Cは、一つのキャリアセグメントを有する時にリソース割り当てタイプ0に対応する指示情報フォーマットを示す図である。図7A〜図7Cに示すように、一つのキャリアセグメントを有し且つキャリアセグメントのキャリア周波数が独立キャリアキャリア周波数よりも高い場合である。
【００６０】
図7Aに示すように、1個のリソース割り当てタイプ0を採用して、それぞれ、独立キャリア及びキャリアセグメントのリソース割り当てのビットマッピングを指示する。
【００６１】
図7B及び7Cに示すように、2個のリソース割り当てタイプ、即ち、独立キャリアのリソース割り当てタイプ及びキャリアセグメントのリソース割り当てタイプを採用して、そそれ、独立キャリア及びキャリアセグメントのリソース割り当てのビットマッピングを示す。そのうち、2個のリソース割り当てタイプは、同じであってよく、即ち、共に、リソース割り当てタイプ0であってもよく、また、リソース割り当てタイプは、異なってもよく、例えば、一つは、リソース割り当てタイプ0であり、もう一つは、リソース割り当てタイプ1であってよい。リソース割り当てタイプが1である時に、更に、それ相応に、リソースブロックセット標識（Subset)、及び、リソース割り当てのビットが左から対応するか、それとも、右から対応するかを示す（L/R)などの情報を含んでも良い。また、リソース割り当てタイプのビット位置は、間隔を開けて設置してもよく、又は、隣接して設置しても良い。
【００６２】
このような場合、独立キャリア及びセグメントキャリアのリソース割り当てのビットマッピングBitmapを指示するビット数は、それぞれ、
（外１０）
0005862778.tif 000014
及び
（外１１）
0005862778.tif 000015
であり、そのうち、
（外１２）
0005862778.tif 000016
は、独立キャリアのバンド幅であり、
（外１３）
0005862778.tif 000017
は、キャリアセグメントのバンド幅であり、P1は、独立キャリアのリソースブロックグループのサイズ又はリソースブロックセットの数であり、P2は、キャリアセグメントのリソースブロックグループのサイズ又はリソースブロックセットの数である。
【００６３】
図8A〜図8Cは、二つのキャリアセグメントを有する時にリソース割り当てタイプ0に対応する指示情報フォーマットを示す図である。図8A〜図8Cに示すように、二つのキャリアセグメントを有し且つそのうち一つのキャリアセグメントのキャリア周波数が独立キャリアキャリア周波数よりも高く、もう一つのキャリアセグメントのキャリア周波数が独立キャリアキャリア周波数よりも低い場合である。図8A〜図8Cの各フィールドの内容の定義は、上述と同様であるため、ここでは、詳しい説明を省略する。
【００６４】
このような場合に、独立キャリア、キャリアセグメント1及びキャリアセグメント2のリソース割り当てのビットマッピングBitmapを指示するビット数は、それぞれ、
（外１４）
0005862778.tif 000018
及び
（外１５）
0005862778.tif 000019
及び
（外１６）
0005862778.tif 000020
であり、そのうち、
（外１７）
0005862778.tif 000021
は、独立キャリアのバンド幅であり、
（外１８）
0005862778.tif 000022
は、キャリアセグメント1のバンド幅であり、
（外１９）
0005862778.tif 000023
は、キャリアセグメント2のバンド幅であり、P1は、独立キャリアのリソースブロックグループのサイズ又はリソースブロックセットの数であり、P2は、キャリアセグメント1のリソースブロックグループのサイズ又はリソースブロックセットの数であり、P3は、キャリアセグメント2のリソースブロックグループのサイズ又はリソースブロックセットの数である。
【００６５】
第２種：リソース割り当てタイプ1の場合については、リソース割り当てタイプ0の場合に類似し、該指示情報は、リソース割り当てタイプ（Type)、独立キャリアのリソースブロックセット標識(Sbuset)、キャリアセグメントのリソースブロックセット標識（Sbuset)、リソース割り当て用のビットがリソースブロックセットの左から対応するかか、それとも、右から対応するかを指示するための指示標識（L/R)、該独立キャリアのリソースブロックセットにおいて対応するリソースブロックが該端末装置に割り当てられているかを示す情報、及び、キャリアセグメントのリソースブロックセットにおいて対応するリソースブロックが該端末装置に割り当てられているかを示す情報を含む。
【００６６】
本実施例では、独立キャリア及びキャリアセグメントのリソースブロックセットにおいて対応するリソースブロックが該端末装置に割り当てられているかを示す情報は、リソース割り当てのビットマッピング（Bitmap)を採用して表してもよく、以下、Bitmapで表す方法を例として説明を行う。
【００６７】
そのうち、リソース割り当てタイプ（Type)は、1個であってよく、独立キャリア及びキャリアセグメントのリソース割り当てタイプ1を指示するために用いられる。
【００６８】
また、リソース割り当て用のビットがリソースブロックセットの左から対応するか、それとも、右から対応するかを示す標識（L/R)は、1個であってもよく、独立キャリア及びキャリアセグメントのリソース割り当て用のビットがリソースブロックセットの左から対応する又は右から対応することを指示するために用いられ、また、1個以上であってよく、それぞれ、独立キャリア及びΜ個のキャリアセグメントのリソース割り当て用のビットがリソースブロックセットの左から対応する又は右から対応することを指示するために用いられ、該1個以上のL/Rは、同じであってもよく、異なってもよく、又は、隣接して設置してもよく、隔開を開けて設置しても良い。
【００６９】
このような場合、独立キャリア及びキャリアセグメントのリソース割り当てのビットマッピングのビット数の確定は、以下の幾つかの場合を含む。
【００７０】
第１種の場合
リソース割り当てタイプ0の指示情報フォーマットは、1個のリソース割り当てタイプ、独立キャリアの各リソースブロックグループが前記端末装置に割り当てられているかを示す情報、及び、キャリアセグメントの各ブロックグループが前記端末装置に割り当てられているかを示す情報を含み、且つ、リソース割り当てタイプ1の指示情報は、リソース割り当てタイプ、独立キャリアのリソースブロックセット標識、キャリアセグメントのリソースブロックセット標識、1個のリソース割り当て用のビットがリソースブロックセットの左から右からであるかを示すための情報、該独立キャリアのリソースブロックセットにおいて対応するリソースブロックが該端末装置に割り当てられているかを示す情報、及び、キャリアセグメントのリソースブロックセットにおいて対応するリソースブロックが該端末装置に割り当てられているかうを示す情報を含む時に、独立キャリア及びｎ個のキャリアセグメントのリソース割り当てのビットマッピングのビット数は、次の公式、即ち、
（外２０）
0005862778.tif 000024
及び
（外２１）
0005862778.tif 000025
を採用して計算する。
【００７１】
そのうち、キャリアｋのリソース割り当てのビットマッピングのビット数は、
（外２２）
0005862778.tif 000026
である時に、他のキャリアのリソース割り当てのビットマッピングのビット数は、
（外２３）
0005862778.tif 000027
であり、そのうち、前記キャリアｋは、前記独立キャリア及びｎ個のキャリアセグメントのうちの一つであり、
（外２４）
0005862778.tif 000028
は、キャリアkのバンド幅であり、Pkは、キャリアｋのリソースブロックグループのサイズ又はリソースブロックセットの数であり、
（外２５）
0005862778.tif 000029
は、前記他のキャリアのバンド幅であり、Pは、前記他のキャリアのリソースブロックグループのサイズ又はリソースブロックセットの数であり、ｎは、正整数である。
【００７２】
第２種の場合
リソース割り当てタイプ0の指示情報は、第１リソース割り当てタイプ、及び、対応する独立キャリアの各リソースブロックグループが前記端末装置に割り当てられているかを示す情報；及び、ｎ個の第２リソース割り当てタイプ、及び、対応するｎ個のキャリアセグメントの各リソースブロックグループが前記端末装置に割り当てられているかを示す情報を含み、且つ、リソース割り当てタイプ1の指示情報は、リソース割り当てタイプ、独立キャリアのリソースブロックセット標識、及び、キャリアセグメントのリソースブロックセット標識、1個のリソース割り当て用のビットがリソースブロックセットの左からである又は右からであることを示す指示標識、該独立キャリアのリソースブロックセットにおいて対応するリソースブロックが該端末装置に割り当てられているかを示す情報、及び、キャリアセグメントのリソースブロックセットにおいて対応するリソースブロックが該端末装置に割り当てられているかを示す情報を含む時に、独立キャリア及びｎ個のキャリアセグメントのリソース割り当てのビットマッピングのビット数の値は、次の公式、即ち、
（外２６）
0005862778.tif 000030
を採用して計算する。
【００７３】
そのうち、
（外２７）
0005862778.tif 000031
は、対応するキャリアのバンド幅であり、Pは、対応するキャリアのリソースブロックグループのサイズ又はリソースブロックセットの数である。
【００７４】
第３種類の場合
リソース割り当てタイプ0の指示情報は、1個のリソース割り当てタイプ、独立キャリアの各リソースブロックグループが前記端末装置に割り当てられているかを示す情報、及び、キャリアセグメントの各リソースブロックグループが前記端末装置に割り当てられているかを示す情報を含み、且つ、リソース割り当てタイプ1の指示情報は、リソース割り当てタイプ、独立キャリアのリソースブロックセット標識、キャリアセグメントのリソースブロックセット標識、n+1個のリソース割り当て用のビットがリソースブロックセットの左からであるか右からであるを示す指示標識、該独立キャリアのリソースブロックセットにおいて対応するリソースブロックが該端末装置に割り当てられているかを示す情報、及び、キャリアセグメントのリソースブロックセットにおいて対応するリソースブロックが該端末装置に割り当てられているかどうかを示す情報を含む時に、独立キャリア及びn個のキャリアセグメントのリソース割り当てのビットマッピングのビット数の値は、次の公式、即ち、
（外２８）
0005862778.tif 000032
を採用して計算する。
【００７５】
そのうち、
（外２９）
0005862778.tif 000033
は、対応するキャリアのバンド幅であり、Pは、対応するキャリアのリソースブロックグループのサイズ又はリソースブロックセットの数である。
【００７６】
第４種の場合
リソース割り当てタイプ0の指示情報は、第１リソース割り当てタイプ、及び、対応する独立キャリアの各リソースブロックグループが前記端末装置に割り当てられているかを示す情報；及び、ｎ個の第２リソース割り当てタイプ、及び、対応するｎ個のキャリアセグメントの各リソースブロックグループが前記端末装置に割り当てられているかを示す情報を含み、且つリソース割り当てタイプ1の指示情報は、リソース割り当てタイプ、独立キャリアのリソースブロックセット標識、キャリアセグメントのリソースブロックセット標識、n+1個のリソース割り当て用のビットがリソースブロックセットの左からであるか右からであるかを示す指示標識、該独立キャリアのリソースブロックセットにおいて対応するリソースブロックが該端末装置に割り当てられているかを示す情報、及び、キャリアセグメントのリソースブロックセットにおいて対応するリソースブロックが該端末装置に割り当てられているかどうかを示す情報を含む時に、独立キャリア及びキャリアセグメントのリソース割り当てのビットマッピングのビット数は、次の公式、即ち、
（外３０）
0005862778.tif 000034
及び
（外３１）
0005862778.tif 000035
を採用して計算する。
【００７７】
キャリアｋのリソース割り当てのビットマッピングのビット数は、
（外３２）
0005862778.tif 000036
である時に、他のキャリアのリソース割り当てのビットマッピングのビット数は、
（外３３）
0005862778.tif 000037
である。
【００７８】
そのうち、前記キャリアｋは、前記独立キャリア及びｎ個のキャリアセグメントのうちの一つであり、
（外３４）
0005862778.tif 000038
は、キャリアkのバンド幅であり、Pkは、キャリアのリソースブロックグループのサイズ又はリソースブロックセットの数であり、
（外３５）
0005862778.tif 000039
は、前記他のキャリアのバンド幅であり、Pは、前記他のキャリアのリソースブロックグループのサイズ又はリソースブロックセットの数であり、ｎは、正整数である。
【００７９】
以下、例を挙げて説明する。以下の例は、本発明の実施例だけであり、以下のフォーマットに限定しない。
【００８０】
図9A〜図9Eは、一つのキャリアセグメントを有するリソース割り当てタイプ1に対応する指示情報フォーマットを示す図である。図9A〜図9Eに示すように、一つのキャリアセグメントを有し且つキャリアセグメントのキャリア周波数が独立キャリアキャリア周波数よりも高い場合である。
【００８１】
図9A及び図9Bに示すように、1個のリソース割り当てタイプ1、1個のL/R指示情報、独立キャリアのリソースブロックセット標識（Subset)、及び、キャリアセグメントのリソースブロックセット標識(Subset)を採用し、それぞれ、独立キャリア及びキャリアセグメントのリソース割り当てのビットマッピングを指示する。
【００８２】
図9C〜9Eに示すように、1個のリソース割り当てタイプ、2個のL/R指示情報、独立キャリアのリソースブロックセット標識（Subset)、及び、キャリアセグメントのリソースブロックセット標識(Subset)を採用し、それぞれ、独立キャリア及びキャリアセグメントのリソース割り当てのビットマッピングを指示する。そのうち、L/R指示情報は、同じであってもよく、例えば、すべて、左から右へであってもよい。また、L/R指示情報は、異なってもよく、例えば、一つは、左から右へであり、もう一つは、右から左へであっても良い。
【００８３】
リソース割り当てタイプ0は、図7Aに示すようなフォーマットを採用し、リソース割り当てタイプ1は、図9A又は図9Bに示すようなフォーマットを採用する時に、リソース割り当てタイプ1における独立キャリア及びキャリアセグメントのリソース割り当てのビットマッピングBitmapを指示するビット数は、それぞれ、
（外３６）
0005862778.tif 000040
及び
（外３７）
0005862778.tif 000041
；又は、
（外３８）
0005862778.tif 000042
及び
（外３９）
0005862778.tif 000043
であってもよい。
【００８４】
そのうち、
（外４０）
0005862778.tif 000044
は、独立キャリアのバンド幅であり、
（外４１）
0005862778.tif 000045
は、キャリアセグメントのバンド幅であり、P1は、独立キャリアのリソースブロックグループのサイズ又はリソースブロックセットの数、P2は、キャリアセグメントのリソースブロックグループのサイズ又はリソースブロックセットの数である。
【００８５】
リソース割り当てタイプ0は、図7B又は図7Cに示すようなフォーマットを採用し、リソース割り当てタイプ1は、図9A又は図9Bに示すようなフォーマットを採用する時に、リソース割り当てタイプ1における独立キャリア及びキャリアセグメントのリソース割り当てのビットマッピングBitmapを指示するビット数は、それぞれ、
（外４２）
0005862778.tif 000046
及び
（外４３）
0005862778.tif 000047
であってもよい。
【００８６】
リソース割り当てタイプ0は、図7Aに示すようなフォーマットを採用し、リソース割り当てタイプ1は、図9C又は図9D又は9Eに示すようなフォーマットを採用する時に、リソース割り当てタイプ1における独立キャリア及びキャリアセグメントのリソース割り当てのビットマッピングBitmapを指示するビット数は、それぞれ、
（外４４）
0005862778.tif 000048
及び
（外４５）
0005862778.tif 000049
であってもよい。
【００８７】
リソース割り当てタイプ0は、図7B又は7Cに示すようなフォーマットを採用し、リソース割り当てタイプ1は、図9C又は図9D又は9Eに示すようなフォーマットを採用する時に、リソース割り当てタイプ1における独立キャリア及びキャリアセグメントのリソース割り当てのビットマッピングBitmapを指示するビット数は、それぞれ、
（外４６）
0005862778.tif 000050
及び
（外４７）
0005862778.tif 000051
；又は、
（外４８）
0005862778.tif 000052
及び
（外４９）
0005862778.tif 000053
であっても良い。
【００８８】
図10A〜図10Eは、二つのキャリアセグメントを有するリソース割り当てタイプ1に対応する指示情報フォーマットを示す図である。図10A〜図10Eに示すように、二つのキャリアセグメントを有し且つそのうち一つのキャリアセグメントのキャリア周波数が独立キャリアキャリア周波数よりも高く、もう一つのキャリアセグメントのキャリア周波数が独立キャリアキャリア周波数よりも低い場合である。
【００８９】
上述の図10A〜10Eの各フィールドの内容についての定義は、上述と同様であるため、ここでは、詳しい説明を省略する。上述の図中のbitmapのビット数の確定については、次のように詳細に説明する。
【００９０】
リソース割り当てタイプ0は、図8Aに示すようなフォーマットを採用し、リソース割り当てタイプ1は、図10A又は図10Bに示すようなフォーマットを採用する時に、リソース割り当てタイプ1における独立キャリア及びキャリアセグメントのリソース割り当てのビットマッピングBitmapを指示するビット数は、それぞれ、
（外５０）
0005862778.tif 000054
及び
（外５１）
0005862778.tif 000055
及び
（外５２）
0005862778.tif 000056
又は、
（外５３）
0005862778.tif 000057
及び
（外５４）
0005862778.tif 000058
及び
（外５５）
0005862778.tif 000059
又は、
（外５６）
0005862778.tif 000060
及び
（外５７）
0005862778.tif 000061
及び
（外５８）
0005862778.tif 000062
であっても良い。
【００９１】
そのうち、
（外５９）
0005862778.tif 000063
は、独立キャリアのバンド幅であり、
（外６０）
0005862778.tif 000064
は、キャリアセグメント1のバンド幅であり、
（外６１）
0005862778.tif 000065
は、キャリアセグメント2のバンド幅であり、P1は、独立キャリアのリソースブロックグループのサイズ又はリソースブロックセットの数、P２は、キャリアセグメント1のリソースブロックグループのサイズ又はリソースブロックセットの数、P3は、キャリアセグメント2のリソースブロックグループのサイズ又はリソースブロックセットの数である。
【００９２】
リソース割り当てタイプ0は、図8Β又は図8Cに示すようなフォーマットを採用し、リソース割り当てタイプ1は、図10A又は図10Bに示すようなフォーマットを採用する時に、リソース割り当てタイプ1における独立キャリア及びキャリアセグメントのリソース割り当てのビットマッピングBitmapを指示するビット数は、それぞれ、
（外６２）
0005862778.tif 000066
及び
（外６３）
0005862778.tif 000067
及び
（外６４）
0005862778.tif 000068
であっても良い。
【００９３】
リソース割り当てタイプ0は、図8Aに示すようなフォーマットを採用し、リソース割り当てタイプ1は、図10C又は図10D又は10Eに示すようなフォーマットを採用する時に、リソース割り当てタイプ1における独立キャリア及びキャリアセグメントのリソース割り当てのビットマッピングBitmapを指示するビット数は、それぞれ、
（外６５）
0005862778.tif 000069
及び
（外６６）
0005862778.tif 000070
及び
（外６７）
0005862778.tif 000071
であっても良い。
【００９４】
リソース割り当てタイプ0は、図8B又は8Cに示すようなフォーマットを採用し、リソース割り当てタイプ1は、図10C又は図10D又は10Eに示すようなフォーマットを採用する時に、リソース割り当てタイプ1における独立キャリア及びキャリアセグメントのリソース割り当てのビットマッピングBitmapを指示するビット数は、それぞれ、
（外６８）
0005862778.tif 000072
及び
（外６９）
0005862778.tif 000073
及び
（外７０）
0005862778.tif 000074
；又は、
（外７１）
0005862778.tif 000075
及び
（外７２）
0005862778.tif 000076
及び
（外７３）
0005862778.tif 000077
又は、
（外７４）
0005862778.tif 000078
及び
（外７５）
0005862778.tif 000079
及び
（外７６）
0005862778.tif 000080
であっても良い。
【００９５】
上述の実施例から分かるように、基地局は、端末装置にリソースを割り当てた後に、リソース割り当てタイプに基いて、上述の図7A〜10Eの任意の１種の指示情報フォーマットを採用してリソース割り当て結果を表してもよく、また、該リソース割り当て結果をDCIに含めてPDCCHにより端末装置に通知することができる。よって、一方では、リソース割り当てタイプ0におけるリソースブロックRBの浪費を避けることができ、他方では、リソース割り当てタイプ1のリソース割り当ての解決方法を提供することもできる。このように、端末装置は、下り制御チャネルを検出する時に、独立キャリア及びキャリアセグメントに対応するリソースブロックグループのサイズ又はリソースブロックセットの数、独立キャリア及びキャリアセグメントのバンド幅、及び、所定の指示情報フォーマットに基いて、下り制御情報DCI中のリソース割り当てRAフィールド中のビット数を確定することができ、端末装置は、物理下り制御チャネル（Physical  Downlink  Control  Channel、PDCCH)に対してブラインド検出を行い、割り当てられているDCIを取得した後に、下り制御情報DCI中のRAフィールドの最初のビットに基いてリソース割り当てタイプを確定し、また、確定した該リソース割り当てタイプに対応する指示情報フォーマットに従って、対応するデコーディングを行い、リソース割り当て結果を取得することができる。
【実施例２】
【００９６】
本発明の実施例は、リソース割り当て方法を提供し、図11は、本発明の実施例2のリソース割り当て方法フローチャートである。図11に示すように、該方法は、次のようなステップを含む。
【００９７】
ステップ1101：独立キャリアのバンド幅、及び、バンド幅とリソースブロックグループのサイズとの対応関係に基いて、独立キャリア及びキャリアセグメントに対応するリソースブロックグループのサイズ又はリソースブロックセットの数を確定する。
【００９８】
ステップ1102：該リソースブロックグループのサイズ又はリソースブロックセットの数に基いて、端末装置にリソースを割り当てる。
【００９９】
本実施例では、リソース割り当てタイプ0について、独立キャリアのバンド幅(Bandwidth)、及び、バンド幅とリソースブロックグループRBGのサイズとの対応関係に基いて、該独立キャリア及びキャリアセグメントに対応するリソースブロックグループのサイズ（RBG  Size）を確定する。例えば、独立キャリアのバンド幅に基いて、表1に示すような対応関係で、独立キャリア及びキャリアセグメントのリソースブロックグループのサイズがP1であると確定してもよい。
【０１００】
例えば、独立キャリアのバンド幅が25個のRBであり、セグメントキャリアのバンド幅が6個のRBを有し、独立キャリアのバンド幅及び表1から分かるように、独立キャリアのリソースブロックグループRBGのサイズP1=2であり、この場合に、キャリアセグメントのリソースブロックグループRBGのサイズも2である。
【０１０１】
それ相応に、リソース割り当てタイプ1については、まず、独立キャリアのバンド幅(Bandwidth)、及び、バンド幅とリソースブロックグループRBGのサイズとの対応関係に基いて、該独立キャリアに対応するリソースブロックグループのサイズを確定し、その後、リソースブロックセットの数がリソース割り当てタイプ0中のリソースブロックグループのサイズに等しいことに基いて、リソースブロックセットの数を確定しても良い。例えば、独立キャリアのバンド幅に基いて、表1に示すような対応関係で、独立キャリアのリソースブロックセットの数がP2であると確定し、キャリアセグメントのリソースブロックセットの数もP2であると確定しても良い。
【０１０２】
例えば、独立キャリアのバンド幅が25個のRBであり、表1から分かるように、独立キャリア及びキャリアセグメントのリソースブロックセットの数Ρ2=2である。
【０１０３】
よって、独立キャリア及びキャリアセグメントに対応するリソースブロックグループのサイズ又はリソースブロックセットの数を確定した後に、基地局は、確定した独立キャリア及びキャリアセグメントに対応するリソースブロックグループのサイズ又はリソースブロックセットの数に基いて、端末装置にリソースを割り当てることができ、そのうち、リソース割り当て方法は、従来の任意の１種、例えば、「max  carrier  to  interference」スケジューリングアルゴリズム、「proportional  fair」 スケジューリングアルゴリズムなどを採用してもよいため、ここでは、詳しい説明を省略する。
【０１０４】
上述の実施例によれば、一方では、リソース割り当てタイプ0におけるリソースブロックRBの浪費を避けることができ、他方では、リソース割り当てタイプ1のリソース割り当ての解決方法を提供することもできる。
【０１０５】
本実施例では、基地局は、端末装置にリソースを割り当てた後に、更に、リソース割り当て結果を端末装置に通知してもよく、これによって、端末装置は、基地局により割り当てられたリソースを得ることができる。よって、図11に示すように、該方法は、更に、次のようなステップを含んでも良い。
【０１０６】
ステップ1103：リソース割り当て結果を含む指示情報に対して所定の指示情報フォーマットに従ってエンコーディングを行う。
【０１０７】
そのうち、該所定の指示情報フォーマットは、全体で独立キャリア及びキャリアセグメントのリソース割り当て結果を指示するための第２指示情報フォーマットである。
【０１０８】
ステップ1104：エンコーディング後の指示情報を端末装置に送信する。
【０１０９】
そのうち、基地局は、該指示情報を下り制御情報に含めて端末装置に送信してもよい。本実施例では、基地局は、更に、指示情報フォーマット中の全体としての独立キャリア及びキャリアセグメントのリソース割り当てのビット数を確定する必要があり、それは、予め確定して基地局に記憶してもよく、これによって、エンコーディング時にそれを使用することができる。また、端末装置は、それを予め確定して記憶してもよく、又は、基地局により該ビット数を通知し、これによって、デコーディング時に使用することができ、これは、実施例1に類似するため、ここでは、詳しい説明を省略する。
【０１１０】
以下、第２指示情報フォーマットの場合におけるリソース割り当てタイプ0及びリソース割り当てタイプ1の指示情報について説明する。
【０１１１】
第１種：リソース割り当てタイプ0の場合に、該指示情報は、リソース割り当てタイプ（Type)、及び、全体としての独立キャリア及びキャリアセグメントの各リソースブロックグループが該端末装置に割り当てられているかを示す情報を含んでも良い。
【０１１２】
本実施例では、独立キャリア及びキャリアセグメントの各リソースブロックグループが該端末装置に割り当てられているかを示す情報は、リソース割り当てのビットマッピング（Bitmap)を採用して表してもよい。以下、Bitmapで表す方法を例として説明する。
【０１１３】
このような場合に、全体としての独立キャリア及びキャリアセグメントのリソース割り当てのビットマッピングのビット数は、
（外７７）
0005862778.tif 000081
である。そのうち、
（外７８）
0005862778.tif 000082
は、独立キャリアのバンド幅であり、
（外７９）
0005862778.tif 000083
は、第i個のキャリアセグメントのバンド幅であり、Piは、独立キャリアのバンド幅に基いて確定したリソースブロックグループのサイズ又はリソースブロックセットの数であり、そのうち、iは、1からｎまで整数であり、ｎは、正整数である。
【０１１４】
図12は、一つのキャリアセグメントを有する時にリソース割り当てタイプ0に対応する指示情報フォーマットを示す図である。図12に示すように、一つのキャリアセグメントを有し且つキャリアセグメントのキャリア周波数が独立キャリアキャリア周波数よりも高い場合である。1個のリソース割り当てタイプ0を採用し、独立キャリア及びキャリアセグメントのリソース割り当てのビットマッピングを全体として指示を行う。
【０１１５】
このような場合に、全体で独立キャリア及びセグメントキャリアのリソース割り当てを指示するビットマッピングBitmapのビット数は、
（外８０）
0005862778.tif 000084
であり、そのうち、
（外８１）
0005862778.tif 000085
は、独立キャリアのバンド幅であり、
（外８２）
0005862778.tif 000086
は、キャリアセグメントのバンド幅であり、P1は、独立キャリアのバンド幅に基いて確定したリソースブロックグループのサイズ又はリソースブロックセットの数である。
【０１１６】
図13は、二つのキャリアセグメントを有する時にリソース割り当てタイプ0に対応する指示情報フォーマットを示す図である。図13に示すように、二つのキャリアセグメントを有し、且つそのうち一つのキャリアセグメントのキャリア周波数が独立キャリアキャリア周波数よりも高く、もう一つのキャリアセグメントのキャリア周波数が独立キャリアキャリア周波数よりも低い場合である。図13に示すように、1個のリソース割り当てタイプ0を採用し、キャリアセグメント1、独立キャリア、及びキャリアセグメント2のリソース割り当てのビットマッピングを全体として指示を行う。
【０１１７】
このような場合に、全体でキャリアセグメント1、独立キャリア、及びセグメントキャリア2のリソース割り当てのビットマッピングBitmapを指示するビット数は、
（外８３）
0005862778.tif 000087
であり、そのうち、
（外８４）
0005862778.tif 000088
は、独立キャリアのバンド幅であり、
（外８５）
0005862778.tif 000089
は、キャリアセグメント1のバンド幅であり、
（外８６）
0005862778.tif 000090
は、キャリアセグメント2のバンド幅であり、P1は、独立キャリアのバンド幅に基いて確定したリソースブロックグループのサイズ又はリソースブロックセットの数である。
【０１１８】
第２種：リソース割り当てタイプ1の場合については、リソース割り当てタイプ0の場合に類似し、該指示情報は、リソース割り当てタイプ（Type)、リソースブロックセット標識（Subset)、リソース割り当て用のビットがリソースブロックセットの左からであるか右からであるかを示す指示標識（L/R)、全体としての独立キャリア及びキャリアセグメントのリソースブロックセットにおいて対応するリソースブロックが該端末装置に割り当てられているかを示す情報を含む。
【０１１９】
本実施例では、独立キャリア及びキャリアセグメントのリソースブロックセットにおいて対応するリソースブロックが該端末装置に割り当てられているかを示す情報は、リソース割り当てのビットマッピング（Bitmap)を採用して表してもよく、以下、Bitmapで表す方法を例として説明を行う。
【０１２０】
このような場合に、全体としての独立キャリア及びキャリアセグメントのリソース割り当てのビット数は、
（外８７）
0005862778.tif 000091
である。
【０１２１】
そのうち、
（外８８）
0005862778.tif 000092
は、独立キャリアのバンド幅であり、
（外８９）
0005862778.tif 000093
は、第i個のキャリアセグメントのバンド幅であり、Piは、独立キャリアのバンド幅に基いて確定したリソースブロックグループのサイズ又はリソースブロックセットの数であり、そのうち、iは1からｎまでの整数であり、ｎは正整数である。
【０１２２】
図14は、一つのキャリアセグメントを有する時にリソース割り当てタイプ1に対応する指示情報フォーマットを示す図である。図14に示すように、1個のリソース割り当てタイプ1、1個のL/R指示情報、独立キャリア及びキャリアセグメントのリソースブロックセット標識（Subset)を採用し、独立キャリア及びキャリアセグメントのリソース割り当てを指示するビットマッピングを全体として指示を行う。
【０１２３】
このような場合に、全体で独立キャリア及びセグメントキャリアのリソース割り当てのビットマッピングBitmapを指示するビット数は、それぞれ、
（外９０）
0005862778.tif 000094
であり、そのうち、
（外９１）
0005862778.tif 000095
は、独立キャリアのバンド幅であり、
（外９２）
0005862778.tif 000096
は、キャリアセグメントのバンド幅であり、P1は、独立キャリアのバンド幅に基いて確定したリソースブロックグループのサイズ又はリソースブロックセットの数である。
【０１２４】
図15は、二つのキャリアセグメントを有する時にリソース割り当てタイプ0に対応する指示情報フォーマットを示す図である。図15に示すように、二つのキャリアセグメントを有し、且つそのうち一つのキャリアセグメントのキャリア周波数が独立キャリアキャリア周波数よりも高く、もう一つのキャリアセグメントのキャリア周波数が独立キャリアキャリア周波数よりも低い場合である。図15に示すように、1個のリソース割り当てタイプ1、1個のL/R指示情報、独立キャリア及びキャリアセグメントのリソースブロックセット標識（Subset)を採用し、独立キャリア及びキャリアセグメントのリソース割り当てのビットマッピングを全体として指示を行う。
【０１２５】
このような場合に、全体で独立キャリア及びセグメントキャリアのリソース割り当てのビットマッピングBitmapを指示するビット数は、
（外９３）
0005862778.tif 000097
であり、そのうち、
（外９４）
0005862778.tif 000098
は、独立キャリアのバンド幅であり、
（外９５）
0005862778.tif 000099
は、キャリアセグメント1のバンド幅であり、
（外９６）
0005862778.tif 000100
は、キャリアセグメント2のバンド幅であり、P1は、独立キャリアのバンド幅に基いて確定したリソースブロックグループのサイズ又はリソースブロックセットの数である。
【０１２６】
上述の実施例から分かるように、基地局は、端末装置にリソースを割り当てた後に、リソース割り当てタイプに基いて、上述の図12〜15の任意の１種の指示情報フォーマットを採用してリソース割り当て結果を表し、また、該リソース割り当て結果を端末装置に通知することができる。よって、一方では、リソース割り当てタイプ0におけるリソースブロックRBの浪費を避けることができ、他方では、リソース割り当てタイプ1のリソース割り当ての解決方法を提供することができる。端末装置は、下り制御チャネルを検出する時に、リソースブロックグループのサイズ又はリソースブロックセットの数、独立キャリア及びキャリアセグメントのバンド幅、及び所定の指示情報フォーマットに基いて、下り制御情報DCI中のリソース割り当てRAフィールド中のビット数を確定することができる。端末装置は、物理下り制御チャネル（Physical  Downlink  Control  Channel、PDCCH)に対してブラインド検出を行い、割り当てられたDCIを取得した後に、下り制御情報DCI中のRAフィールドの最初のビットに基いてリソース割り当てタイプを確定し、そして、確定した該リソース割り当てタイプに対応する指示情報フォーマットに従って、対応するデコーディングを行い、リソース割り当て結果を得ることができる。
【実施例３】
【０１２７】
本発明の実施例は、更に、リソース割り当て方法を提供する。図16は、本発明の実施例3のリソース割り当て方法フローチャートであル。図16に示すように、該方法は、次のようなステップを含む。
【０１２８】
ステップ1601：端末装置は、物理下り制御チャネルに対して検出を行う時に、まず、独立キャリア及びキャリアセグメントに対応するリソースブロックグループのサイズ又はリソースブロックセットの数、独立キャリア及びキャリアセグメントのバンド幅、及び所定の指示リソース割り当て結果の指示情報フォーマットに基いて、下り制御情報中のリソース割り当てフィールドのビット数を確定する。
【０１２９】
ステップ1602：端末装置は、PDCCHに対してブラインド検出を行い、割り当てられているDCIを取得し、そのうち、PDCCHに対してブラインド検出を行い、そのDCIを取得するプロセスは、従来技術に類似するため、ここでは、詳しい説明を省略する。
【０１３０】
ステップ1603：端末装置は、DCI中のリソース割り当てフィールドの第１個目のビットに基いてリソース割り当てタイプを確定し、そして、確定した該リソース割り当てタイプに対応する指示情報フォーマットに従って、対応するデコーディングを行い、リソース割り当て結果を取得する。
【０１３１】
リソース割り当てタイプを確定する目的は、リソース割り当てタイプ0及びリソース割り当てタイプ1のビット数が等しいので、先にリソース割り当てタイプを確定した後だけで、対応するタイプに対応するフォーマットでデコーディングを行えることにある。
【０１３２】
本実施例では、ステップ1601の前に、該方法は、更に、独立キャリアのバンド幅又は独立キャリア及びキャリアセグメントのバンド幅、及び、バンド幅とリソースブロックグループのサイズとの対応関係に基いて、独立キャリア及びキャリアセグメントに対応するリソースブロックグループのサイズ又はリソースブロックセットの数を確定するステップを含む。そのうち、確定の方法は、実施例1、2と類似するため、ここでは、詳しい説明を省略する。
【０１３３】
本実施例では、ステップ1601において、独立キャリア及びキャリアセグメントのバンド幅、及び、バンド幅とリソースブロックグループのサイズとの対応関係に基いて独立キャリア及びキャリアセグメントに対応するリソースブロックグループのサイズ又はリソースブロックセットの数を確定する時に、指示情報フォーマットは、独立キャリア及びキャリアセグメントのリソース割り当て結果をそれぞれ指示する第１指示情報フォーマットを採用し、該リソース割り当てRAフィールドのビット数は、次の公式
（外９７）
0005862778.tif 000101
又は、
（外９８）
0005862778.tif 000102
により表される。
【０１３４】
そのうち、
（外９９）
0005862778.tif 000103
は、独立キャリアのバンド幅であり、
（外１００）
0005862778.tif 000104
は、第i個のキャリアセグメントのバンド幅であり、P1は、独立キャリアのリソースブロックグループのサイズ又はリソースブロックセットの数であり、P2は、第i個のキャリアセグメントのリソースブロックグループのサイズ又はリソースブロックセットの数であり、そのうち、iは、1からnまでの整数であり、ｎは、正整数である。
【０１３５】
実施例では、上述のリソース割り当てRAフィールドのビット数を確定する時に、まずリソース割り当てタイプ0のRAフィールドのビット数を確定してもよく、なお、リソース割り当てタイプ1と、リソース割り当てタイプ0とのビット数は等しい。よって、図7Aに対応する場合（即ち、一つのtypeを有するとき）、公式
（外１０１）
0005862778.tif 000105
を採用してRAフィールドのビット数を計算し、図7B及び図7Cに対応する場合（二つのtypeを有するとき）、公式
（外１０２）
0005862778.tif 000106
を採用してRAフィールドのビット数を計算する。
【０１３６】
また、本実施例では、独立キャリアのバンド幅、及び、バンド幅とリソースブロックグループのサイズとの対応関係に基いて、独立キャリア及びキャリアセグメントに対応するリソースブロックグループのサイズ又はリソースブロックセットの数を確定する時に、指示情報フォーマットは、全体で独立キャリア及びキャリアセグメントのリソース割り当て結果を指示する第２指示情報フォーマットを採用し、該リソース割り当てフィールドのビット数は、次の公式
（外１０３）
0005862778.tif 000107
により表される。
【０１３７】
そのうち、
（外１０４）
0005862778.tif 000108
は、独立セグメントのバンド幅であり、
（外１０５）
0005862778.tif 000109
は、第i個のキャリアセグメントのバンド幅であり、P1は、独立キャリアに基いて確定したリソースブロックグループのサイズ又はリソースブロックセットの数であり、そのうち、iは、1からｎまでの整数であり、ｎは、正整数である。
【０１３８】
上述から分かるように、端末装置は、下り制御チャネルを検出する時に、下り制御情報DCI中のリソース割り当てRAフィールド中のビット数を確定することができ、端末装置は、PDCCHに対してブラインド検出を行い、割り当てられているDCIを取得した後に、下り制御情報DCI中のRAフィールドの最初のビットに基いてリソース割り当てタイプを確定し、そして、確定した該リソース割り当てタイプに対応する指示情報フォーマットに従って、対応するデコーディングを行い、リソース割り当て結果を得ることができる。
【０１３９】
以下、具体的に、実施例4及び5、且つ、1個のキャリアセグメントを有することを例として説明を行う。キャリアセグメントが1個以上である場合については、これに類似するため、ここでは、詳しい説明を省略する。
【実施例４】
【０１４０】
次に、具体的な実施例に基いて、独立キャリア及びキャリアセグメントのリソース割り当て結果をそれぞれ指示する場合を説明する。図17は、本発明の実施例4のリソース割り当て方法のフローチャートである。図17に示すように、該方法は、次のようなステップを含む。
【０１４１】
基地局側
ステップ1701：独立キャリア及びキャリアセグメントのバンド幅、及び、バンド幅とリソースブロックグループのサイズとの対応関係に基いて、独立キャリア及びキャリアセグメントに対応するリソースブロックグループのサイズ又はリソースブロックセットの数を確定する。
【０１４２】
具体的には、独立キャリア及びキャリアセグメントのバンド幅、及び、表1の対応関係に基いて確定することができ、これは、実施例1に類似するため、ここでは、詳しい説明を省略する。
【０１４３】
ステップ1702：該リソースブロックグループのサイズ又はリソースブロックセットの数に基いて、端末装置にリソースを割り当て、リソース割り当ての方式は、従来の任意の１種の技術、例えば、「max  carrier  to  interference」スケジューリングアルゴリズム、「proportional  fair」スケジューリングアルゴリズムなどを採用することができるため、ここでは、詳しい説明を省略する。
【０１４４】
ステップ1703：リソース割り当て結果を含む指示情報に対して、所定の指示情報フォーマットに従ってエンコーディングを行う。
【０１４５】
そのうち、該所定の指示情報フォーマットは、それぞれ、独立キャリア及びキャリアセグメントのリソース割り当て結果を指示する第１指示情報フォーマットであり、例えば、実施例1における任意の１種の指示情報フォーマットのようである。
【０１４６】
ステップ1704：エンコーディング後の指示情報を端末装置に送信する。
【０１４７】
そのうち、基地局は、該指示情報を下り制御情報DCI含めてPDCCHにて端末装置に送信することができる。
【０１４８】
例えば、リソース割り当てタイプ0について、基地局は、独立キャリア及びキャリアセグメントのリソース割り当て結果に対して、図7A〜図7Cに示すような情報フォーマットを採用してもよく、リソース割り当てタイプ1について、基地局は、独立キャリア及びキャリアセグメントのリソース割り当て結果に対して、図9A〜図9Eに示すような情報フォーマットを採用してもよい。以下、例を挙げて具体的なリソース割り当て結果及び指示情報フォーマットを説明するが、次に述べるのは具体的な実施だけであり、次の実施例に限定しない。
【０１４９】
例えば、独立キャリアのバンド幅が25個のRBであり、キャリアセグメントのバンド幅が6個のRBである場合、リソース割り当てタイプ0について、独立キャリアに対応するリソースブロックグループのサイズが2であり、キャリアセグメントのリソースブロックグループのサイズが1であり、リソース割り当てタイプ1について、独立キャリアに対応するリソースブロックセットの数が2であり、キャリアセグメントに対応するリソースブロックセットの数が1である。
【０１５０】
図18Aは、本実施例おいて基地局により端末装置にリソースを割り当てることを示す図である。図18Bは、基地局が図7Aのフォーマットを採用する時の指示情報を示す図である。そのうち、図18Aの第１行は、独立キャリアの各リソースブロックグループが該端末装置に割り当てられているかどうかを示す情報に対応し、"1"は、該端末装置に割り当てられていることを示し、"0"は、該端末装置に割り当てられていないことを示す。図18Aの第２行は、キャリアセグメントの各リソースブロックグループが該端末装置に割り当てられているかどうかを示す情報に対応し、"1"は、該端末装置に割り当てられていることを表し、"0"は、該端末装置に割り当てられていないことを表する。図18B及び図18Cは、対応するリソース割り当て結果の指示情報であり、それぞれ、図7A及び図7Bの場合に対応する。そのうち、"0"は、リソース割り当てタイプ0を表し、図7Cに対応する情報フォーマットについては、上述の場合に類似するため、ここでは、詳しい説明を省略する。
【０１５１】
例えば、キャリアバンド幅が10個のRB以下であることを考慮する時に、基地局は、リソース割り当てタイプ0のみを採用する。よって、次に、他の実施例を考慮する。独立キャリアのバンド幅が25個のRBであり、キャリアセグメントのバンド幅が15個のRBである場合に、リソース割り当てタイプ0について、独立キャリアに対応するリソースブロックグループのサイズが2であり、キャリアセグメントのリソースブロックグループのサイズが同様に2であり、リソース割り当てタイプ1について、独立キャリアに対応するリソースブロックセットの数が2であり、キャリアセグメントに対応するリソースブロックセットの数が同様に2である。
【０１５２】
図19Aは、本実施例において基地局により端末装置にリソースを割り当てることを示す図である。そのうち、図19Aの第１行は、独立キャリアのリソースブロックセットの各リソースブロックが該端末装置に割り当てられているかどうかを示す情報に対応し、"1"は、該端末装置に割り当てられていることを表し、"0"は、該端末装置に割り当てられていないことを表す。図19Aの第２行は、キャリアセグメントのリソースブロックセットの各リソースブロックが該端末装置に割り当てられているかどうかを示す情報に対応し、"1"は、該端末装置に割り当てられていることを表し、"0"は、該端末装置に割り当てられていないことを表す。
【０１５３】
図19B及び図19Cは、それぞれ、リソース割り当てタイプ0が図7Aに示すようなフォーマットを採用する時に、また、リソース割り当てタイプ1が図9A又は9Bに示すようなフォーマットを採用し、且つ、リソース割り当てタイプ1が独立キャリア及びキャリアセグメントのリソース割り当てのビットマッピングBitmapを指示するビット数が、それぞれ、
（外１０６）
0005862778.tif 000110
及び、
（外１０７）
0005862778.tif 000111
であっても良い時に、図19Aのリソース割り当て結果についての指示情報を示す図である。
【０１５４】
図20Aは、本実施例において基地局により端末装置にリソースを割り当てることを示す他の図である。そのうち、図20Aの第１行は、独立キャリアのリソースブロックセットの各リソースブロックが該端末装置に割り当てられているかどうかを示す情報に対応し、"1"は、該端末装置に割り当てられていることを示し、"0"は、該端末装置に割り当てられていないことを示す。図20Aの第２行は、キャリアセグメントのリソースブロックセットの各リソースブロックが該端末装置に割り当てられているかそうかを示す情報に対応し、"1"は、該端末装置に割り当て割れていることを示し、"0"は、該端末装置に割り当てられていないことを示す。
【０１５５】
図20B、図20C及び図20Dは、それぞれ、リソース割り当てタイプ0が図7Aに示すようなフォーマットを採用する時に、また、リソース割り当てタイプ1が図9C、9D及び9Eに示すようなフォーマットを使用し、且つ、リソース割り当てタイプ1が独立キャリア及びキャリアセグメントのリソース割り当てのビットマッピングBitmapを指示するビット数が、それぞれ、
（外１０８）
0005862778.tif 000112
及び、
（外１０９）
0005862778.tif 000113
であっても良い時に、図20Aのリソース割り当て結果についての指示情報を示す図である。
【０１５６】
端末装置側
ステップ1705：端末装置は、独立キャリア及びキャリアセグメントのバンド幅、及び、バンド幅とリソースブロックグループのサイズとの対応関係に基いて独立キャリア及びキャリアセグメントに対応するリソースブロックグループのサイズ又はリソースブロックセットの数を確定する。
【０１５７】
そのうち、例えば、独立キャリアのバンド幅が25個のRBであり、キャリアセグメントのバンド幅が6個のRBである場合、リソース割り当てタイプ0について、独立キャリアに対応するリソースブロックグループのサイズが2であり、キャリアセグメントのリソースブロックグループのサイズが1であり、リソース割り当てタイプ1について、独立キャリアに対応するリソースブロックセットの数が2であり、キャリアセグメントに対応するリソースブロックセットの数が1である。
【０１５８】
確定の方法は、ステップ1701の確定方法と類似するため、ここでは詳しい説明を省略し、また、該ステップは、ステップ1701において基地局と同時に進行しても良い。
【０１５９】
ステップ1706：端末装置は、下り制御チャネルPDCCHを検出する時に、確定した独立キャリア及びキャリアセグメントに対応するリソースブロックグループのサイズ又はリソースブロックセットの数、独立キャリア及びキャリアセグメントのバンド幅、及び所定の指示リソース割り当て結果の指示情報フォーマットに基いて、下り制御情報中のリソース割り当てフィールドのビット数を確定する。
【０１６０】
そのうち、例えば、リソース割り当てタイプ0の場合において確定を行い、指示情報が図14Bのような情報フォーマット（1個のTypeを含む)時に、リソース割り当てRAフィールドのビット数は、次の公式
（外１１０）
0005862778.tif 000114
により表され、又は、指示情報が図18B及び18Cのような情報フォーマットである（2個のTypeを含む)時に、該リソース割り当てRAフィールドのビット数は、次の公式
（外１１１）
0005862778.tif 000115
により表される。
そのうち、
（外１１２）
0005862778.tif 000116
は、独立キャリアのバンド幅であり、
（外１１３）
0005862778.tif 000117
は、キャリアセグメントのバンド幅であり、P1は、独立キャリアのリソースブロックグループのサイズ又はリソースブロックセットの数であり、P2は、キャリアセグメントのリソースブロックグループのサイズ又はリソースブロックセットの数である。
【０１６１】
ステップ1707：端末装置は、PDCCHに対してブラインド検出を行い、割り当てられているDCIを取得し、そのうち、PDCCHに対してブラインド検出を行いDCIを取得するプロセスは、従来技術と類似するため、ここでは詳しい説明を省略する。
【０１６２】
ステップ1708：端末装置は、リソース割り当てフィールドの第１個目のビットに基いてリソース割り当てタイプを確定し、そして、確定した該リソース割り当てタイプに対応する指示情報フォーマットに従って、対応するデコーディングを行い、リソース割り当て結果を得る。
【０１６３】
上述の実施例から分かるように、基地局は、独立キャリア及びキャリアセグメントに対応するリソースブロックグループのサイズ又はリソースブロックセットの数を確定した後に、基地局は、確定した独立キャリア及びキャリアセグメントに対応するリソースブロックグループのサイズ又はリソースブロックセットの数に基いて、端末装置にリソースを割り当て、そして、該リソース割り当て結果を端末装置に通知することができる。これにより、一方では、リソース割り当てタイプ0におけるリソースブロックRBの浪費を避けることができ、他方では、リソース割り当てタイプ1のリソース割り当ての解決方法を提供することができる。端末装置は、下り制御チャネルを検出する時に、確定した独立キャリア及びキャリアセグメントに対応するリソースブロックグループのサイズ又はリソースブロックセットの数、独立キャリア及びキャリアセグメントのバンド幅、及び所定の指示情報フォーマットに基いて下り制御情報DCI中のリソース割り当てRAフィールド中のビット数を確定することができ、端末装置は、その下り制御チャネルを取得した後に、下り制御情報DCI中のRAフィールドの最初のビットに基いてリソース割り当てタイプを確定し、そして、確定した該リソース割り当てタイプに対応する指示情報フォーマットに基いて、対応するデコーディングを行い、リソース割り当て結果を得ることができる。
【実施例５】
【０１６４】
以上の実施例4では、それぞれ、独立キャリア及びキャリアセグメントのリソース割り当て結果を指示することを例として説明を行った。本実施例では、独立キャリア及びキャリアセグメントを全体としてそのリソース割り当て結果を指示する場合について説明を行う。
【０１６５】
本実施例では、基地局側において実施例4との異なる点は、ステップ1701において、基地局が独立キャリアのバンド幅、及び、バンド幅とリソースブロックグループのサイズとの対応関系だけに基いて、独立キャリア及びキャリアセグメントに対応するリソースブロックグループのサイズ又はリソースブロックセットの数を確定することにある。
【０１６６】
本実施例では、基地局側において、実施例4との異なる点は、ステップ1703において、リソース割り当て結果を含む指示情報に対して、所定の指示情報フォーマットに従ってエンコーディングを行い、そのうち、該所定の指示情報フォーマットが、整体で独立キャリア及びキャリアセグメントのリソース割り当て結果を指示する第２指示情報フォーマットであり、実施例2における任意の１種の指示情報フォーマットのようであるとのことにある。
【０１６７】
例えば、リソース割り当てタイプ0について、基地局は、独立キャリア及びキャリアセグメントのリソース割り当て結果に対して、図12に示すようなメッセージフォーマットで表しても良い。
【０１６８】
図21Aは、本実施例において基地局により端末装置にリソースを割り当てることを示す図である。図21Bは、基地局が図12のフォーマットを採用する時の指示情報を示す図である。そのうち、独立キャリア及びキャリアセグメントを全体として指示を行う。
【０１６９】
例えば、リソース割り当てタイプ1について、基地局は、独立キャリア及びキャリアセグメントのリソース割り当て結果に対して、図13に示すようなメッセージフォーマットを採用して表しても良い。
【０１７０】
図22Aは、本実施例において基地局により端末装置にリソースを割り当てることを示す図である。図22Bは、基地局が図13のフォーマットを採用する時の指示情報を示す図である。そのうち、独立キャリア及びキャリアセグメントを全体として指示を行う。
【０１７１】
本実施例では、端末装置側において、実施例4との異なる点は、ステップ1705において、独立キャリアのバンド幅、及び、バンド幅とリソースブロックグループのサイズとの対応関係だけに基いて、独立キャリア及びキャリアセグメントに対応するリソースブロックグループのサイズ又はリソースブロックセットの数を確定すればよいとのことにある。
【０１７２】
本実施例では、端末装置側において、ステップ1706では、例えば、指示情報が図21Bのフォーマットを採用する時に、即ち、独立キャリア及びキャリアセグメントのリソース割り当て結果を全体として指示を行う場合、該リソース割り当てフィールドのビット数は、次の公式
（外１１４）
0005862778.tif 000118
により表され、そのうち、
（外１１５）
0005862778.tif 000119
は、独立キャリアのバンド幅であり、
（外１１６）
0005862778.tif 000120
は、キャリアセグメントのバンド幅であり、P1は、独立キャリアに基いて確定したリソースブロックグループのサイズ又はリソースブロックセットの数である。
【０１７３】
また、本実施例では、他のステップは、実施例4と類似するため、ここでは詳しい説明を省略する。
【０１７４】
本発明の実施例は、更に、基地局及び端末装置を次の実施例６〜実施例７に記載のように提供する。該基地局及び端末装置が問題を解決する原理は、上述の基地局及び端末装置に基くリソース割り当て方法と類似するので、該基地局及び端末装置の実施は、方法の実施を参照することができるためあ、重複説明を省略する。
【実施例６】
【０１７５】
図23は、本発明の実施例6の基地局の構成を示す図である。図23に示すように、該基地局は、第１確定ユニット2301及びリソース割り当て器2302を含む。
【０１７６】
第１確定ユニット2301：独立キャリアのバンド幅又は独立キャリア及びキャリアセグメントのバンド幅、及び、バンド幅とリソースブロックグループのサイズとの対応関係に基いて、独立キャリア及びキャリアセグメントに対応するリソースブロックグループのサイズ又はリソースブロックセットの数を確定するために用いられる。
【０１７７】
リソース割り当て器2302：該リソースブロックグループのサイズ又はリソースブロックセットの数に基いて端末装置にリソースを割り当てるために用いられる。
【０１７８】
そのうち、第１確定ユニット2301の具体的な確定方法は、実施例1〜2、4〜5と類似し、独立キャリア及びキャリアセグメントのリソース割り当て結果をそれぞれ指示する場合、又は、整体で独立キャリア及びキャリアセグメントのリソース割り当て結果を指示する場合において、異なる確定方法を採用しても良いので、ここでは詳しい説明を省略する。
【０１７９】
例えば、第１確定ユニット2301が独立キャリア及びキャリアセグメントのバンド幅、及び、バンド幅とリソースブロックグループのサイズとの対応関係に基いて独立キャリア及びキャリアセグメントに対応するリソースブロックグループのサイズ又はリソースブロックセットの数を確定する時に、該指示情報フォーマットは、それぞれ独立キャリア及びキャリアセグメントのリソース割り当て結果を指示する第１指示情報フォーマットであり、実施例1に記載のようである。
【０１８０】
例えば、第１確定ユニット2301が独立キャリアのバンド幅、及び、バンド幅とリソースブロックグループのサイズとの対応関係に基いて独立キャリア及びキャリアセグメントに対応するリソースブロックグループのサイズ又はリソースブロックセットの数を確定する時に、該指示情報フォーマットは、整体で独立キャリア及びキャリアセグメントのリソース割り当て結果を指示する第２指示情報フォーマットであり、実施例2に記載のようである。
【０１８１】
本実施例では、該基地局は、更に、エンコーディング器2303及び送信器2304を含み、そのうち、エンコーディング器2303は、リソース割り当て結果を含む指示情報に対して、所定の指示情報フォーマットに従ってエンコーディングを行うために用いられ、実施例1〜2に示すような指示情報フォーマットを採用してもよいので、ここでは詳しい説明を省略する。送信器2304は、エンコーディング後の指示情報を端末装置に通知するために用いられる。そのうち、該指示情報をDCIに含めて端末装置に送信してもよい。
【０１８２】
また、該基地局は、更に、ビット数確定ユニット（図示せず）を含んでもよく、それは、予め指示情報フォーマットに基いて独立キャリア及びキャリアセグメントのリソース割り当てのビットマッピングのビット数を確定することができ、具体的な確定方法は、実施例1及び2に記載のようであるので、ここでは詳しい説明を省略する。該基地局は、更に、記憶ユニットを含んでもよく、それは、該ビット数を記憶して該基地局のエンコーディング時に使用するために備える。また、該基地局は、更に、通知ユニット（図示せず）を含んでもよく、それは、該ビット数を端末装置に通知し、これによって、端末装置はデコーディング時に該ビット数を使用する。
【０１８３】
上述の実施例から分かるように、基地局は、独立キャリア及びキャリアセグメントに対応するリソースブロックグループのサイズ又はリソースブロックセットの数を確定した後に、基地局は、確定した独立キャリア及びキャリアセグメントに対応するリソースブロックグループのサイズ又はリソースブロックセットの数に基いて、端末装置にリソースを割り当て、そして、該リソース割り当て結果を端末装置に通知することが出来る。よって、一方では、リソース割り当てタイプ0におけるリソースブロックRBの浪費を避けることができ、他方では、リソース割り当てタイプ1のリソース割り当ての解決方法を提供することができる。
【実施例７】
【０１８４】
図24は、本発明の実施例7の端末装置の構成を示す図である。図24に示すように、該端末装置は、ビット数確定ユニット2401、検出器2402、及びリソース情報取得ユニット2403を含む。
【０１８５】
ビット数確定ユニット2401：独立キャリア及びキャリアセグメントに対応するリソースブロックグループのサイズ又はリソースブロックセットの数、独立キャリア及びキャリアセグメントのバンド幅、及び所定の指示リソース割り当て結果の指示情報フォーマットに基いて、下り制御情報中のリソース割り当てフィールドのビット数を確定するために用いられる。
【０１８６】
そのうち、ビット数確定ユニット2401がビット数を確定する方法は、実施例3〜5に記載のようであるので、ここでは詳しい説明を省略する。
【０１８７】
検出器2402：下り制御チャネルPDCCHに対してブラインド検出を行い、該端末装置に割り当てられている下り制御情報DCIを取得するために用いられる。
【０１８８】
リソース情報取得ユニット2403：検出器2402が端末装置の下り制御チャネルを検出した後に、DCI中のリソース割り当てフィールドの第１個目のビットに基いてリソース割り当てタイプを確定し、そして、確定したリソース割り当てタイプに対応するフォーマットに従って対応するデコーディングを行い、リソース割り当て結果を取得するために用いられる。そのうち、DCI中のリソース割り当てフィールドの第１個目のビットは、予め知ることができる。
【０１８９】
本実施例では、端末装置は、更に、第２確定ユニット2404を含んでもよく、それは、独立キャリアのバンド幅又は独立キャリア及びキャリアセグメントのバンド幅、及び、バンド幅とリソースブロックグループのサイズとの対応関係に基いて独立キャリア及びキャリアセグメントに対応するリソースブロックグループのサイズ又はリソースブロックセットの数を確定するために用いられる。そのうち、第２確定ユニット2404の確定方法は、第１確定ユニット2301と類似するので、ここでは詳しい説明を省略する。
【０１９０】
また、該端末装置は、更に、受信器（図示せず）を含んでもよく、それは、基地局が送信した独立キャリア及びキャリアセグメントのリソース割り当てのビットマッピングのビット数を受信し、これによって、デコーディング時に該ビット数を使用することができる。又は、更に、一つの確定ユニット（図未せず）を含み、それは、独立キャリア及びキャリアセグメントのリソース割り当てのビットマッピングのビット数を確定するために用いられ、確定方法は、実施例1及び2に記載のようであるので、ここでは詳しい説明を省略する。
【０１９１】
図25は、本発明の端末装置の使用例としての移動電話を示す図である。図24に示すような本発明の実施例の端末装置を該移動電話として使用することができる。端末装置の例は、移動電話に限定せず、通信能力を持つ任意の他の装置、例えば、ゲーム機、PDA、ノートパソコンなどであってもよい。
【０１９２】
図25に示すように、移動電話250は、開位置と閉位置との間で移動可能なカバー2501を有する折り畳み式移動電話であってもよい。図25では、カバー2501が開位置にある様子が示されている。なお、移動電話250は、他の構造、例えば、“長板型移動電話”又は“スライド式移動電話”の構造を有してもよい。
【０１９３】
移動電話250は、図２３の上述のユニットの他に、表示器2502を含んでもよい。表示器2502は、ユーザに、例えば、操作状態、時間、電話番号、電話帳情報、各種メニュー等の情報を見せ、これにより、ユーザは、移動電話250の各種特徴を利用することができる。表示器2502は、さらに、移動電話250が受信した、及び/又は、移動電話250の記憶器(図示せず)から検索した内容を可視的に表示するために用いられる。表示器2502は、ユーザに、画像、ビデオ及び他の図形、例えば、写真、モバイルTVのコンテンツ、及びゲームに関するビデオを見せることもできる。
【０１９４】
キーボード2503は、ユーザ入力のための各種操作を提供している。例えば、キーボード2503は、アルファベットや数字情報（例えば、電話番号、電話リスト、電話帳情報、メモ帳、テキスト等）を入力するための字母・数字キーを含んでもよい。また、キーボード2503は、特定の機能キー2504、例えば、起動又は電話に応答するための“送信”キー、及び終了又は電話を“切る”ための“終了”キーを含んでもよい。特定の機能キーは、さらに、表示器2502のメニューに表示されている、ナビゲーションに便利なナビゲーションメニューにおけるメニューナビゲーションキー及び選択鍵を含んでもよい。例えば、ポインティングデバイス及び/又はナビゲーションキーを提供することにより、ユーザからの指向性入力を受信することができる。また、表示器2502及びキーボード2503は、組み合わせて使用することにより、ソフトキーの機能を実現することができる。また、移動電話250は、さらに、アンテナ、マイクロコントローラ、スピーカー2506及びマイク2506等の、その機能を実現するに必要な部品を含んでもよい。
【０１９５】
本発明の実施例は、更に、コンピュータ可読プログラムを提供し、そのうち、基地局において該プログラムを実行する時に、該プログラムは、コンピュータに、該基地局において実施例1、2、4、5に記載のリソース割り当て方法を実行させる。
【０１９６】
本発明の実施例の他の側面によれば、コンピュータ可読プログラムを記憶している記憶媒体が提供され、そのうち、該コンピュータ可読プログラムは、コンピュータに、基地局において実施例1、2、4、5に記載のリソース割り当て方法を実行させる。
【０１９７】
本発明の実施例の他の側面によれば、コンピュータ可読プログラムが提供され、そのうち、端末において該プログラムを実行する時に、該プログラムは、コンピュータに、該端末において、上述の実施3〜5に記載のリソース割り当て方法を実行させる。
【０１９８】
本発明の実施例の他の側面によれば、コンピュータ可読プログラムを記憶した記憶媒体が提供され、そのうち、該コンピュータ可読プログラムは、コンピュータに、基地局において上述の実施例3〜5に記載のリソース割り当て方法を実行させる。
【０１９９】
本発明の上述の装置及び方法は、ハードウェアにより実現されてもよく、ハードウェアとソフトウェアとの組み合わせにより実現されてもよい。本発明は、このようなロジック部可読なプログラムに関し、該プログラムは、ロジック部により実行されている時に、該ロジック部に、上述の装置又は構成部品を実現させることができ、又は、該ロジック部に、上述の各種方法又はステップを実現させることができる。ロジック部は、例えば、フィールドプログラマブルロジック部、マイクロプロセッサー、コンピュータに用いるプロセッサー等を含む。本発明は、さらに、上述のプログラムを記録している記憶媒体、例えば、ハードディスク、磁気ディスク、光ディスク、DVD、flash、光磁気ディスク、メモリカード、メモリスチィック等にも関する。
以上、本発明の好ましい実施形態を説明したが、本発明はこの実施形態に限定されず、本発明の趣旨を離脱しない限り、本発明に対するあらゆる変更は本発明の技術の範囲に属する。
【図１】
0005862778.tif 000161
【図２】
0005862778.tif 000162
【図３】
0005862778.tif 000163
【図４】
0005862778.tif 000164
【図５】
0005862778.tif 000165
【図６】
0005862778.tif 000166
【図７】
0005862778.tif 000167
【図８】
0005862778.tif 000168
【図９】
0005862778.tif 000169
【図１０】
0005862778.tif 000170
【図１１】
0005862778.tif 000171
【図１２】
0005862778.tif 000172
【図１３】
0005862778.tif 000173
【図１４】
0005862778.tif 000174
【図１５】
0005862778.tif 000175
【図１６】
0005862778.tif 000176
【図１７】
0005862778.tif 000177
【図１８】
0005862778.tif 000178
【図１９】
0005862778.tif 000179
【図２０】
0005862778.tif 000180
【図２１】
0005862778.tif 000181
【図２２】
0005862778.tif 000182
【図２３】
0005862778.tif 000183
【図２４】
0005862778.tif 000184
【図２５】
0005862778.tif 000185